(57)【要約】【課題】狭帯域直交周波数分割多重化信号を伝送するための方法およびデバイスの提供。【解決手段】狭帯域直交周波数分割多重化信号を伝送する方法は、リソース選択方略に従って、帯域幅を狭帯域直交周波数分割多重化システムと共有するロングタームエボリューション（ＬＴＥ）システムの帯域幅内の狭帯域直交周波数分割多重化システムのスペクトルリソースを判定することと、狭帯域直交周波数分割多重化システムの判定されたスペクトルリソース上で狭帯域直交周波数分割多重化信号を伝送することとを含む。本ソリューションは、ＬＴＥシステムの帯域幅内の狭帯域直交周波数分割多重化信号の伝送を可能にし、したがって、狭帯域直交周波数分割多重化システムによってサーブされる端末の信号検出およびコスト低減を促進し、また、ＬＴＥシステムと狭帯域直交周波数分割多重化システムとの間の干渉を低減させる。【選択図】図１
2020123980.tif 000002
【特許請求の範囲】
【請求項１】
狭帯域直交周波数分割多重化信号を伝送するための方法であって、前記方法は、
リソース選択方略に従って、ＬＴＥシステム帯域幅内において狭帯域直交周波数分割多重化システムのスペクトルリソースを判定することであって、前記ＬＴＥシステムおよび前記狭帯域直交分割多重化システムは、帯域幅を共有する、ことと、
前記狭帯域直交周波数分割多重化システムの前記判定されたスペクトルリソース上で狭帯域直交周波数分割多重化信号を伝送することと
を含む、方法。
【請求項２】
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
ＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000106
、ｍｏｄは、合同算術を表す、ことを含む、請求項１に記載の方法。
【請求項３】
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
ＮＢＷｍｏｄ２４＝１２であるとき、ＩＰＲＢおよびＩＳＣは、以下のうちの１項を満たす：
ＩＰＲＢｍｏｄ５＝０、ＩＰＲＢが、
【化３】
2020123980.tif 000107
未満であるとき、ＩＳＣ＝１０、ＩＰＲＢが、
【化３】
2020123980.tif 000108
を上回るとき、ＩＳＣ＝９、
ＩＰＲＢｍｏｄ５＝２、ＩＰＲＢが、
【化３】
2020123980.tif 000109
未満であるとき、ＩＳＣ＝６、ＩＰＲＢが、
【化３】
2020123980.tif 000110
を上回るとき、ＩＳＣ＝５、
ＩＰＲＢｍｏｄ５＝４、ＩＰＲＢが、
【化３】
2020123980.tif 000111
未満であるとき、ＩＳＣ＝２、ＩＰＲＢが、
【化３】
2020123980.tif 000112
を上回るとき、ＩＳＣ＝１、
ＮＰＲＢは、前記ＬＴＥシステム帯域幅内に含まれるＰＲＢの数であり、かつ
【化２】
2020123980.tif 000113
、ｍｏｄは、合同算術であり、
【化４】
2020123980.tif 000114
は、床関数を表す、ことを含む、請求項１に記載の方法。
【請求項４】
前記狭帯域直交周波数分割多重化システムにおける前記ＭＢＷのサブキャリアは、ＮＢＷが７２を上回るとき、前記ＬＴＥシステムにおける中心７２のサブキャリアと重複しない、請求項２または３に記載の方法。
【請求項５】
前記リソース選択方略は、
前記ＬＴＥシステム帯域幅が、ＮＢＷの利用可能なサブキャリアを含み、前記ＬＴＥシステムのセル識別は、
【化１】
2020123980.tif 000115
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化５】
2020123980.tif 000116
かつＮＢＷｍｏｄ２４＝０であるとき、ＩＰＲＢおよびＩＳＣは、以下のうちの１項を満たす：
ＩＰＲＢｍｏｄ５＝１、ＩＰＲＢが、ＮＰＲＢ／２未満であるであるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満である、ＩＳＣ＝４、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000117
、ｍｏｄは、合同算術である、ことを含む、請求項１に記載の方法。
【請求項６】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000118
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化５】
2020123980.tif 000119
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000120
未満である、ＩＳＣ＝１０、
ＩＰＲＢｍｏｄ５＝２、かつＩＰＲＢが、
【化３】
2020123980.tif 000121
を上回る、ＩＳＣ＝５、
ＩＰＲＢｍｏｄ５＝４、ＩＰＲＢが、
【化３】
2020123980.tif 000122
未満であるであるとき、ＩＳＣ＝２、ＩＰＲＢが、
【化３】
2020123980.tif 000123
を上回るであるとき、ＩＳＣ＝１、
ＮＰＲＢは、前記ＬＴＥシステム帯域幅内に含まれるＰＲＢの数であり、かつ
【化２】
2020123980.tif 000124
、ｍｏｄは、合同算術であり、
【化４】
2020123980.tif 000125
は、床関数を表す、ことを含む、請求項１に記載の方法。
【請求項７】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000126
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化６】
2020123980.tif 000127
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２未満である、ＩＳＣ＝８、
ＩＰＲＢｍｏｄ５＝３、かつＩＰＲＢが、ＮＰＲＢ／２を上回る、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000128
、ｍｏｄは、合同算術を表す、ことを含む、請求項１に記載の方法。
【請求項８】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000129
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＮＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化６】
2020123980.tif 000130
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000131
未満である、ＩＳＣ＝９、
ＩＰＲＢｍｏｄ５＝２、ＩＰＲＢが、
【化３】
2020123980.tif 000132
未満であるとき、ＩＳＣ＝６、ＩＰＲＢが、
【化３】
2020123980.tif 000133
を上回るとき、ＩＳＣ＝５、
ＩＰＲＢｍｏｄ５＝４、かつＩＰＲＢが、
【化３】
2020123980.tif 000134
未満である、ＩＳＣ＝２、
ＮＰＲＢは、前記ＬＴＥシステム帯域幅内に含まれるＰＲＢの数であり、かつ
【化２】
2020123980.tif 000135
、ｍｏｄは、合同算術であり、
【化４】
2020123980.tif 000136
は、床関数を表す、ことを含む、請求項１に記載の方法。
【請求項９】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000137
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化７】
2020123980.tif 000138
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２を上回る、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000139
、ｍｏｄは、合同算術を表す、ことを含む、請求項１に記載の方法。
【請求項１０】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000140
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスは、ＩＳＣである場合、
【化７】
2020123980.tif 000141
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000142
を上回る、ＩＳＣ＝９、
ＩＰＲＢｍｏｄ５＝２、かつＩＰＲＢが、
【化３】
2020123980.tif 000143
未満である、ＩＳＣ＝６、
ＩＰＲＢｍｏｄ５＝４、かつＩＰＲＢが、
【化３】
2020123980.tif 000144
を上回る、ＩＳＣ＝１、
ＮＰＲＢは、前記ＬＴＥシステム帯域幅内に含まれるＰＲＢの数であり、かつ
【化２】
2020123980.tif 000145
、ｍｏｄは、合同算術であり、
【化４】
2020123980.tif 000146
は、床関数を表す、ことを含む、請求項１に記載の方法。
【請求項１１】
前記狭帯域直交周波数分割多重化システムの前記判定されたスペクトルリソース上で前記狭帯域直交周波数分割多重化信号を伝送することは、
前記判定された狭帯域直交周波数分割多重化システムの１つ以上のサブキャリア上で同期信号を伝送することを含み、前記同期信号は、異なるサブキャリアを異なる直交周波数分割多重化（ＯＦＤＭ）シンボル内に占有する、請求項１に記載の方法。
【請求項１２】
前記同期信号は、以下の情報：
前記狭帯域直交周波数分割多重化システムのセル識別と、
前記ＬＴＥシステムにおける前記狭帯域直交周波数分割多重化システムの周波数ドメイン位置と
のうちの少なくとも１つを搬送する、請求項１１に記載の方法。
【請求項１３】
前記同期信号は、前記狭帯域直交周波数分割多重化システムの前記中心サブキャリア上で伝送されない、請求項１２に記載の方法。
【請求項１４】
前記周波数ドメイン位置は、物理ブロードキャストチャネル内で搬送される信号伝達によって示される、請求項１２に記載の方法。
【請求項１５】
前記同期信号は、一次同期信号と、二次同期信号とを備える、請求項１１に記載の方法。
【請求項１６】
前記一次同期信号は、奇数番号が付与された無線フレーム内に位置するサブフレーム＃ｋ内で伝送される一方、前記二次同期信号は、偶数番号が付与された無線フレーム内に位置するサブフレーム＃ｋ内で伝送され、前記ｋの値は、１、２、３、６、７、８を備え、または前記一次同期信号は、偶数番号が付与された無線フレーム内に位置するサブフレーム＃ｍ内で伝送される一方、前記二次同期信号は、奇数番号が付与された無線フレーム内に位置するサブフレーム＃ｍ内で伝送され、前記ｍの値は、１、２、３、４、６、７、８を備え、前記サブフレームインデックスは、ゼロから開始する、請求項１５に記載の方法。
【請求項１７】
前記一次同期信号は、奇数番号が付与された無線フレーム内に位置するサブフレーム＃ｎ内で伝送される一方、前記二次同期信号は、偶数番号が付与された無線フレーム上に位置するサブフレーム＃ｎ内で伝送され、前記ｎの値は、０、４、５、９を備え、または前記一次同期信号は、偶数番号が付与された無線フレーム上に位置するサブフレーム＃ｈ内で伝送される一方、前記二次同期信号は、奇数番号が付与された無線フレーム上に位置するサブフレーム＃ｈ内で伝送され、前記ｈの値は、０、４、５、９を備え、前記サブフレームインデックスは、ゼロから開始する、請求項１５に記載の方法。
【請求項１８】
前記同期信号を伝送するために使用されるサブフレーム内のＯＦＤＭシンボルの数は、４、６、８、９、１０、または１１である、請求項１６または１７に記載の方法。
【請求項１９】
前記４つのＯＦＤＭシンボルは、前記サブフレームの各スロット内の最後の２つのＯＦＤＭシンボルを含み、または前記６つのＯＦＤＭシンボルは、前記サブフレームの最後の６つの連続ＯＦＤＭシンボルを含み、または前記６つのＯＦＤＭシンボルは、前記サブフレームの各スロット内の最後の２つのＯＦＤＭシンボル、前記サブフレームの第２のスロット内の第３および第４のＯＦＤＭシンボルを含み、または前記６つのＯＦＤＭシンボルは、前記サブフレームの各スロット内の最後の２つのＯＦＤＭシンボル、前記サブフレームの各スロット内の第３のＯＦＤＭシンボルを含み、または前記８つのＯＦＤＭシンボルは、前記サブフレームの最後の８つの連続ＯＦＤＭシンボルを含み、または前記９つのＯＦＤＭシンボルは、前記サブフレームの最後の９つの連続ＯＦＤＭシンボルを含み、または前記１０のＯＦＤＭシンボルは、前記サブフレームの最後の１０の連続ＯＦＤＭシンボルを含み、または前記１１のＯＦＤＭシンボルは、前記サブフレームの最後の１１の連続ＯＦＤＭシンボルを含み、請求項１８に記載の方法。
【請求項２０】
前記狭帯域直交周波数分割多重化システムの前記判定されたスペクトルリソース上で前記狭帯域直交周波数分割多重化信号を伝送することは、前記判定された狭帯域直交周波数分割多重化システムにおける１つ以上のサブキャリア上で基準信号を伝送することを含む、請求項１に記載の方法。
【請求項２１】
前記判定された狭帯域直交周波数分割多重化システムにおける１つ以上のサブキャリア上で前記基準信号を伝送することは、
前記判定された狭帯域直交周波数分割多重化システムの前記ＭＢＷのサブキャリアから選択される、｛０，３，６，９，．．．，
【化８】
2020123980.tif 000147
｝のサブキャリアセット内の１つ以上のサブキャリア上で前記基準信号を伝送することを含み、ＭＢＷは、３を上回る整数であり、
【化１】
2020123980.tif 000148
は、前記ＬＴＥシステムのセル識別であり、ｍｏｄは、合同算術であり、
【化４】
2020123980.tif 000149
は、床関数を表す、請求項２０に記載の方法。
【請求項２２】
前記伝送される基準信号は、前記ＬＴＥシステムにおける前記対応するＭＢＷのサブキャリアを経由して伝送されるセル特有の基準信号と同一の基準信号、および／または前記ＬＴＥシステムにおける前記対応するＭＢＷのサブキャリアを経由して伝送されるセル特有の基準信号のサブセットを備え、前記ＭＢＷは、前記狭帯域直交周波数分割多重化システムに含まれるサブキャリアの数である、請求項２０に記載の方法。
【請求項２３】
前記伝送される基準信号が、前記ＬＴＥシステムにおける前記対応するＭＢＷのサブキャリアを経由して伝送されるセル特有の基準信号のサブセットであるとき、前記伝送される基準信号は、
前記ＬＴＥシステムにおけるアンテナポートの一部上で前記対応するＭＢＷのサブキャリアを経由して伝送される、セル特有の基準信号、および／または、
前記ＬＴＥシステムにおけるアンテナポートの一部上の前記対応するＭＢＷのサブキャリアのサブセットを経由して伝送される、セル特有の基準信号
を備える、請求項２２に記載の方法。
【請求項２４】
前記伝送される基準信号は、構成されたセル識別に基づいて判定される、請求項２０に記載の方法。
【請求項２５】
前記構成されたセル識別と前記ＬＴＥシステムのセル識別との間の差は、３の倍数である、請求項２４に記載の方法。
【請求項２６】
前記基準信号は、前記狭帯域直交周波数分割多重化システムにおける前記中心サブキャリア上で伝送されない、請求項２２〜２５のいずれか１項に記載の方法。
【請求項２７】
前記伝送は、伝送および／または受信を備える、請求項１〜３、５〜１７、および１９〜２５のいずれか１項に記載の方法。
【請求項２８】
狭帯域直交周波数分割多重化信号を伝送するためのデバイスであって、前記デバイスは、
リソース選択方略に従って、ＬＴＥシステム帯域幅内において狭帯域直交周波数分割多重化システムのスペクトルリソースを判定するように構成されている、スペクトルリソース判定ブロックであって、前記ＬＴＥシステムおよび前記狭帯域直交分割多重化システムは、帯域幅を共有する、スペクトルリソース判定ブロックと、
前記狭帯域直交周波数分割多重化システムの前記判定されたスペクトルリソース上で狭帯域直交周波数分割多重化信号を伝送するように構成されている、伝送ブロックと
を備える、デバイス。
【請求項２９】
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
ＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるであるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000150
、ｍｏｄは、合同算術を表す、ことを含む、請求項２８に記載のデバイス。
【請求項３０】
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合
ＮＢＷｍｏｄ２４＝１２であるとき、ＩＰＲＢおよびＩＳＣは、以下の条件のうちの１項を満たす：
ＩＰＲＢｍｏｄ５＝０、ＩＰＲＢが、
【化３】
2020123980.tif 000151
未満であるとき、ＩＳＣ＝１０、ＩＰＲＢが、
【化３】
2020123980.tif 000152
を上回るとき、ＩＳＣ＝９、
ＩＰＲＢｍｏｄ５＝２、ＩＰＲＢが、
【化３】
2020123980.tif 000153
未満であるとき、ＩＳＣ＝６、ＩＰＲＢが、
【化３】
2020123980.tif 000154
を上回るとき、ＩＳＣ＝５、
ＩＰＲＢｍｏｄ５＝４、ＩＰＲＢが、
【化３】
2020123980.tif 000155
未満であるとき、ＩＳＣ＝２、ＩＰＲＢが、
【化３】
2020123980.tif 000156
を上回るとき、ＩＳＣ＝１、
ＮＰＲＢは、前記ＬＴＥシステム帯域幅内に含まれるＰＲＢの数であり、かつ
【化２】
2020123980.tif 000157
、ｍｏｄは、合同算術であり、
【化４】
2020123980.tif 000158
は、床関数を表す、ことを含む、請求項２８に記載のデバイス。
【請求項３１】
前記狭帯域直交周波数分割多重化システムにおける前記ＭＢＷのサブキャリアは、ＮＢＷが７２を上回るとき、前記ＬＴＥシステムにおける中心の７２のサブキャリアと重複しない、請求項２９または３０に記載のデバイス。
【請求項３２】
前記リソース選択方略は、
前記ＬＴＥシステム帯域幅が、ＮＢＷの利用可能なサブキャリアを含み、前記ＬＴＥシステムのセル識別コードが、
【化１】
2020123980.tif 000159
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化５】
2020123980.tif 000160
かつＮＢＷｍｏｄ２４＝０であるとき、ＩＰＲＢおよびＩＳＣは、以下の条件のうちの１項を満たす：
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満である、ＩＳＣ＝４、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000161
、ｍｏｄは、合同算術を表す、ことを含む、請求項２８に記載のデバイス。
【請求項３３】
前記リソース選択方略は、
前記ＬＴＥシステム帯域幅が、ＮＢＷの利用可能なサブキャリアを含み、前記ＬＴＥシステムのセル識別コードが、
【化１】
2020123980.tif 000162
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＮＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化５】
2020123980.tif 000163
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000164
未満である、ＩＳＣ＝１０、
ＩＰＲＢｍｏｄ５＝２、かつＩＰＲＢが、
【化３】
2020123980.tif 000165
を上回る、ＩＳＣ＝５、
ＩＰＲＢｍｏｄ５＝４、ＩＰＲＢが、
【化３】
2020123980.tif 000166
未満であるとき、ＩＳＣ＝２、ＩＰＲＢが、
【化３】
2020123980.tif 000167
を上回るとき、ＩＳＣ＝１、
ＮＰＲＢは、前記ＬＴＥシステム帯域幅内に含まれるＰＲＢの数であり、かつ
【化２】
2020123980.tif 000168
、ｍｏｄは、合同算術であり、
【化４】
2020123980.tif 000169
は、床関数を表す、ことを含む、請求項２８に記載のデバイス。
【請求項３４】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000170
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化６】
2020123980.tif 000171
かつＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２未満である、ＩＳＣ＝８、
ＩＰＲＢｍｏｄ５＝３、かつＩＰＲＢが、ＮＰＲＢ／２を上回る、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000172
、ｍｏｄは、合同算術を表す、ことを含む、請求項２８に記載のデバイス。
【請求項３５】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000173
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化６】
2020123980.tif 000174
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000175
未満である、ＩＳＣ＝９、
ＩＰＲＢｍｏｄ５＝２、ＩＰＲＢが、
【化３】
2020123980.tif 000176
未満であるとき、ＩＳＣ＝６、ＩＰＲＢが、
【化３】
2020123980.tif 000177
を上回るとき、ＩＳＣ＝５、
ＩＰＲＢｍｏｄ５＝４、かつＩＰＲＢが、
【化３】
2020123980.tif 000178
未満である、ＩＳＣ＝２、
ＮＰＲＢは、前記ＬＴＥシステム帯域幅内に含まれるＰＲＢの数であり、かつ
【化２】
2020123980.tif 000179
、ｍｏｄは、合同算術であり、
【化４】
2020123980.tif 000180
は、床関数を表す、ことを含む、請求項２８に記載のデバイス。
【請求項３６】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000181
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化７】
2020123980.tif 000182
、ＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２を上回る、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000183
、ｍｏｄは、合同算術を表す、ことを含む、請求項２８に記載のデバイス。
【請求項３７】
前記リソース選択方略は、
前記ＬＴＥシステム帯域幅が、ＮＢＷの利用可能なサブキャリアを含み、前記ＬＴＥシステムのセル識別が、
【化１】
2020123980.tif 000184
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化７】
2020123980.tif 000185
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000186
を上回る、ＩＳＣ＝９、
ＩＰＲＢｍｏｄ５＝２、かつＩＰＲＢが、
【化３】
2020123980.tif 000187
未満である、ＩＳＣ＝６、
ＩＰＲＢｍｏｄ５＝４、かつＩＰＲＢが、
【化３】
2020123980.tif 000188
を上回る、ＩＳＣ＝１、
ＮＰＲＢは、前記ＬＴＥシステム帯域幅内に含まれるＰＲＢの数であり、かつ
【化２】
2020123980.tif 000189
、ｍｏｄは、合同算術であり、
【化４】
2020123980.tif 000190
は、床関数を表す、ことを含む、請求項２８に記載のデバイス。
【請求項３８】
前記伝送ブロックの設定は、以下の様式：前記判定された狭帯域直交周波数分割多重化システムにおける１つ以上のサブキャリアを通して同期信号を伝送することを通して、前記狭帯域直交周波数分割多重化システムの前記判定されたスペクトルリソース上で前記狭帯域直交周波数分割多重化信号を伝送することであり、異なる直交周波数分割多重化（ＯＦＤＭ）シンボル内において、前記同期信号は、異なるサブキャリアを占有する、請求項２８に記載のデバイス。
【請求項３９】
前記同期信号は、以下の情報：
前記狭帯域直交周波数分割多重化システムのセル識別情報と、
前記ＬＴＥシステムにおける前記狭帯域直交周波数分割多重化システムの周波数ドメイン位置情報と
のうちの少なくとも１つを搬送する、請求項３８に記載のデバイス。
【請求項４０】
前記同期信号は、前記判定された狭帯域直交周波数分割多重化システムにおける前記中心サブキャリアを通して伝送されない、請求項３９に記載のデバイス。
【請求項４１】
前記周波数ドメイン位置情報は、物理ブロードキャストチャネル内で搬送される信号伝達を通して示される、請求項３９に記載のデバイス。
【請求項４２】
前記同期信号は、一次同期信号と、二次同期信号とを備える、請求項３８に記載のデバイス。
【請求項４３】
前記一次同期信号は、奇数番号が付与された無線フレーム上に位置するサブフレーム＃ｋ内で伝送される一方、前記二次同期信号は、偶数番号が付与された無線フレーム上に位置するサブフレーム＃ｋ内で伝送され、前記ｋの値は、１、２、３、６、７、８を備え、または前記一次同期信号は、偶数番号が付与された無線フレーム上に位置するサブフレーム＃ｍ内で伝送される一方、前記二次同期信号は、奇数番号が付与された無線フレーム上に位置するサブフレーム＃ｍ内で伝送され、前記ｍの値は、１、２、３、４、６、７、８を備え、前記サブフレームインデックスは、ゼロから開始する、請求項４２に記載のデバイス。
【請求項４４】
前記一次同期信号は、奇数番号が付与された無線フレーム上に位置するサブフレーム＃ｎ内で伝送される一方、前記二次同期信号は、偶数番号が付与された無線フレーム上に位置するサブフレーム＃ｎ内で伝送され、前記ｎの値は、０、４、５、９を備え、または前記一次同期信号は、偶数番号が付与された無線フレーム上に位置するサブフレーム＃ｈ内で伝送される一方、前記二次同期信号は、奇数番号が付与された無線フレーム上に位置するサブフレーム＃ｈ内で伝送され、前記ｈの値は、０、４、５、９を備え、前記サブフレームインデックスは、ゼロから開始する、請求項４２に記載のデバイス。
【請求項４５】
前記同期信号を伝送するために使用されるサブフレーム内のＯＦＤＭシンボルの数は、４、６、８、９、１０、または１１である、請求項４３または４４に記載のデバイス。
【請求項４６】
前記４つのＯＦＤＭシンボルは、前記サブフレームの各スロット内の最後の２つのＯＦＤＭシンボルを含み、または前記６つのＯＦＤＭシンボルは、前記サブフレームの最後の６つの連続ＯＦＤＭシンボルを含み、または前記６つのＯＦＤＭシンボルは、前記サブフレームの各スロット内の最後の２つのＯＦＤＭシンボル、前記サブフレームの第２のスロット内の第３および第４のＯＦＤＭシンボルを含み、または前記６つのＯＦＤＭシンボルは、前記サブフレームの各スロット内の最後の２つのＯＦＤＭシンボル、前記サブフレームの各スロット内の第３のＯＦＤＭシンボルを含み、または前記８つのＯＦＤＭシンボルは、前記サブフレームの最後の８つの連続ＯＦＤＭシンボルを含み、または前記９つのＯＦＤＭシンボルは、前記サブフレームの最後の９つの連続ＯＦＤＭシンボルを含み、または前記１０のＯＦＤＭシンボルは、前記サブフレームの最後の１０の連続ＯＦＤＭシンボルを含み、または前記１１のＯＦＤＭシンボルは、前記サブフレームの最後の１１の連続ＯＦＤＭシンボルを含む、請求項４５に記載のデバイス。
【請求項４７】
前記伝送ブロックの設定は、以下の様式：前記判定された狭帯域直交周波数分割多重化システムにおける１つ以上のサブキャリアを通して基準信号を伝送することを通して、前記狭帯域直交周波数分割多重化システムの前記判定されたスペクトルリソースを通して狭帯域直交周波数分割多重化信号を伝送することである、請求項２８に記載のデバイス。
【請求項４８】
前記伝送ブロックの設定は、以下の様式：前記判定された狭帯域直交周波数分割多重化システムにおける前記ＭＢＷのサブキャリアのために設定される、｛０，３，６，９，．．．，
【化８】
2020123980.tif 000191
｝のサブキャリアセット内の１つ以上のサブキャリアを通して前記基準信号を伝送することを通して、前記判定された狭帯域直交周波数分割多重化システムにおける１つ以上のサブキャリアを通して前記基準信号を伝送することであり、ＭＢＷは、３を上回る整数であり、
【化１】
2020123980.tif 000192
は、前記ＬＴＥシステムのセル識別であり、ｍｏｄは、合同算術であり、
【化４】
2020123980.tif 000193
は、床関数を表す、請求項４７に記載のデバイス。
【請求項４９】
前記伝送される基準信号は、前記ＬＴＥシステムにおけるＭＢＷのサブキャリア伝送と対応するセル特有の基準信号と同一の基準信号、および／または前記ＬＴＥシステムにおけるＭＢＷのサブキャリア伝送と対応するセル特有の基準信号のサブセットを備え、前記ＭＢＷは、前記狭帯域直交周波数分割多重化システムに含まれるサブキャリアの数である、請求項４７に記載のデバイス。
【請求項５０】
前記伝送される基準信号が、前記ＬＴＥシステムにおけるＭＢＷのサブキャリア伝送と対応するセル特有の基準信号のサブセットであるとき、前記伝送される基準信号は、
前記ＭＢＷのサブキャリアと対応する前記ＬＴＥシステムのアンテナポートの一部によって伝送される、セル特有の基準信号、および／または、
前記ＭＢＷのサブキャリアのサブセットと対応する前記ＬＴＥシステムのアンテナポートの一部によって伝送される、セル特有の基準信号
を備える、請求項４９に記載のデバイス。
【請求項５１】
前記伝送される基準信号は、前記配分されたセル識別に基づいて判定される、請求項４７に記載のデバイス。
【請求項５２】
前記配分されたセル識別と前記ＬＴＥシステムにおけるものとの間の差は、３の倍数である、請求項５１に記載のデバイス。
【請求項５３】
前記基準信号は、前記狭帯域直交周波数分割多重化システムにおける前記中心サブキャリアを通して伝送されない、請求項４９−５２に記載のデバイス。
【請求項５４】
前記伝送は、放射および／または受信を備える、請求項２８−３０、３２−４４、および４６−５２に記載のデバイス。
【発明の詳細な説明】
【技術分野】
【０００１】
本開示は、限定ではないが、無線通信に関し、特に、狭帯域直交周波数分割多重化信号を伝送するための方法およびデバイスに関する。
【背景技術】
【０００２】
（背景）
マシンツーマシン（Ｍ２Ｍ）ユーザ通信デバイスとも呼ばれる、マシンタイプ通信（ＭＴＣ）のユーザ機器または端末（ＵＥ）は、モノのインターネットの現在主流の用途タイプである。第三世代パートナーシッププロジェクト（３ＧＰＰ）の技術報告書ＴＲ４５．８２０Ｖ２００では、セルラーモノのインターネット（Ｃ−ＩＯＴ）に適用可能ないくつかの技術が、公開されている。その中でも、狭帯域ロングタームエボリューション（ＮＢ−ＬＴＥ）の技術は、最も注意を引いている。ＮＢ−ＬＴＥシステムの帯域幅は、２００ｋＨｚであり、これは、モバイル通信用グローバルシステム（ＧＳＭ（登録商標））のチャネル帯域幅と同一である。これは、ＧＳＭ（登録商標）周波数スペクトルがＮＢ−ＬＴＥシステム上で再使用され、かつ近傍ＧＳＭ（登録商標）チャネルとの相互干渉を低減させるために非常に便利である。その上、ＮＢ−ＬＴＥシステムの放射帯域幅およびダウンリンクサブキャリアの間隔は、それぞれ、１８０ｋＨｚおよび１５ｋＨｚであり、これは、それぞれ、ＬＴＥシステム上の物理リソースブロック（ＰＲＢ）の帯域幅およびサブキャリア間隔と同一である。したがって、関連ＬＴＥシステムをＮＢ−ＬＴＥ上で再使用する関連設計が、好ましい。また、ＮＢ−ＬＴＥ上で再使用されるＧＳＭ（登録商標）周波数スペクトルが、ＬＴＥシステムの周波数スペクトルに隣接するとき、２つのシステム間の相互干渉を低減させることが望ましい。
【０００３】
さらに、ＬＴＥシステムは、以下の６つのシステム帯域幅：１．４ＭＨｚ、３ＭＨｚ、５ＭＨｚ、１０ＭＨｚ、１５ＭＨｚ、および２０ＭＨｚをサポートし、これらの６つの帯域幅は、それぞれ、７２、１５０、３００、６００、９００、および１２００の利用可能なサブキャリアを有する。ＮＢ−ＬＴＥシステムの放射帯域幅およびダウンリンクサブキャリアの間隔は、それぞれ、ＬＴＥシステム上のＰＲＢの帯域幅およびサブキャリア間隔と同一であることを考慮して、ＮＢ−ＬＴＥおよびＬＴＥが、周波数スペクトルの同一部分上に存在することが可能であり、例えば、２０ＭＨｚ帯域幅のＬＴＥシステム上のＮＢ−ＬＴＥ信号放射のために使用される１８０ｋＨｚ帯域幅を配分する。しかしながら、例えば、ＮＢ−ＬＴＥシステムサービスの端末のための信号検出およびコスト低減を達成し、かつ２つのシステム間の相互干渉を低減させるために、同期信号、パイロット信号等の重要な信号をＮＢ−ＬＴＥ上で伝送する方法の関連技術は、ＮＢ−ＬＴＥおよびＬＴＥシステム間の端末差異に起因して、依然として、効果的ソリューションを欠いている。
【発明の概要】
【課題を解決するための手段】
【０００４】
（要約）
以下は、本開示に詳細に説明される主題の概要である。概要は、請求項の保護範囲を限定することを意図するものではない。
【０００５】
本開示の実施形態は、ＬＴＥシステムの帯域幅内で狭帯域直交周波数分割多重化を伝送することを可能にし、さらに、狭帯域直交周波数分割多重化システムサービスの端末のための信号検出の利便性およびコスト低減を達成し、かつＬＴＥと狭帯域直交周波数分割多重化システムとの間の相互干渉を低減させる、狭帯域直交周波数分割多重化信号を伝送するための方法およびデバイスを提供する。
【０００６】
本開示の実施形態は、リソース選択方略に従って、ＬＴＥシステム帯域幅内の狭帯域直交周波数分割多重化システムのスペクトルリソースを判定することであって、ＬＴＥシステムおよび狭帯域直交分割多重化システムは、帯域幅を共有する、ことと、狭帯域直交周波数分割多重化システムの判定されたスペクトルリソース上で狭帯域直交周波数分割多重化信号を伝送することとを含む、狭帯域直交周波数分割多重化信号を伝送するための方法を提供する。
【０００７】
本開示の実施形態はまた、リソース選択方略に従って、ＬＴＥシステム帯域幅内の狭帯域直交周波数分割多重化システムのスペクトルリソースを判定するように構成される、スペクトルリソース判定ブロックであって、ＬＴＥシステムおよび狭帯域直交分割多重化システムは、帯域幅を共有する、スペクトルリソース判定ブロックと、狭帯域直交周波数分割多重化システムの判定されたスペクトルリソース上で狭帯域直交周波数分割多重化信号を伝送するように構成される、伝送ブロックとを備える、狭帯域直交周波数分割多重化信号を伝送するためのデバイスを提供する。
【０００８】
本開示の実施形態はさらに、コンピュータ実行可能命令をその上に記憶する、コンピュータ可読記憶媒体を提供する。コンピュータ実行可能命令は、実行されると、狭帯域直交周波数分割多重化信号を伝送するための方法を実施する。
【０００９】
本開示の実施形態では、狭帯域直交周波数分割多重化システムのスペクトルリソースは、リソース選択方略に従って、狭帯域直交周波数分割多重化システムと共有されるＬＴＥ帯域幅内で判定され、狭帯域直交周波数分割多重化信号は、狭帯域直交周波数分割多重化システムの判定されたスペクトルリソース上で伝送される。このように、ＬＴＥシステムの帯域幅内での狭帯域直交周波数分割多重化信号の伝送は、実装され、さらに、狭帯域直交周波数分割多重化システムサービスの端末のための信号検出の利便性およびコスト低減を達成し、かつＬＴＥおよび狭帯域直交周波数分割多重化システム間の相互干渉を低減させる。
【００１０】
本開示の実施形態では、狭帯域直交周波数分割多重化システムが、ＬＴＥシステム帯域幅内のリソースを利用するとき、狭帯域直交周波数分割多重化システムの端末は、基地局から伝送される同期信号上で高速検出を行うことができる。端末がシステムにアクセスする速度は、余剰ハードウェアコストおよび電力消費を伴わずに向上され、さらに、狭帯域直交周波数分割多重化システムの基準信号は、任意の信号伝達コストを伴わずに、同時に、狭帯域直交周波数分割多重化システム端末のため使用される状況において、従来のＬＴＥシステム端末のために使用されることができる。基準信号の利用効率は、向上される一方、コスト節約の結果も、達成される。加えて、基準信号は、本開示の実施形態によると、狭帯域直交周波数分割多重化システムの中心サブキャリア上で伝送されなく、ＬＴＥシステム端末変調の性能は、したがって、向上される。
【００１１】
他の関連側面は、添付の図面および発明を実施するための形態を熟読ならびに把握した後に、理解され得る。
【図面の簡単な説明】
【００１２】
【図１】図１は、本開示のいくつかの実施形態による、狭帯域直交周波数分割多重化信号を伝送するための方法のフローチャートを示す。
【図２】図２は、本開示のさらなる実施形態による、狭帯域直交周波数分割多重化信号を伝送するための方法のフローチャートである。
【図３】図３は、本開示のいくつかの実施形態による、狭帯域直交周波数分割多重化信号を伝送するためのデバイスの概略図を提示する。
【発明を実施するための形態】
【００１３】
（詳細な説明）
発明を実施するための形態が、以下の図面とともに提示される。以下に説明される実施形態は、本願を実証および説明するためのみに使用され、それを限定するものではないことを理解されたい。
【００１４】
図１は、本開示の実施形態による、狭帯域直交周波数分割多重化信号を伝送するための方法のフローチャートを示す。図１に示されるように、ある実施形態において提供される狭帯域直交周波数分割多重化信号を伝送するための方法は、以下のプロシージャを含む。
【００１５】
ステップ１１：リソース選択方略に従って、狭帯域直交周波数分割多重化システムのためのスペクトルリソースが、ＬＴＥ帯域幅上で判定され、ＬＴＥシステムは、狭帯域直交周波数分割多重化システムと帯域幅を共有する。
【００１６】
狭帯域直交周波数分割多重化信号のサブキャリア間隔は、ここでは、１５ｋＨｚであり、これは、ＬＴＥシステム上のものと同一である。
【００１７】
ＬＴＥシステムのセル識別は、
【化１】
2020123980.tif 000003
として設定され、ＮＢＷのサブキャリアが、ＬＴＥシステム帯域幅内で利用可能であり、故に、帯域幅は、ＮＰＲＢ個の物理リソースブロック（ＰＲＢ）を含み、
【化２】
2020123980.tif 000004
である。サブキャリアインデックスは、０、１、２、．．．、ＮＢＷ−１である一方、ＰＲＢインデックスは、０、１、２、．．．、ＮＰＲＢ−１であり、ＮＢＷおよびＮＰＲＢは両方とも、ゼロを上回る整数である。狭帯域直交周波数分割多重化システムの帯域幅は、ＭＢＷのサブキャリアを含み、ＭＢＷは、３を上回る整数である。該ＭＢＷのサブキャリアは、対応する周波数に従って、あるサブキャリアを中心として使用し、サブキャリアは、中心サブキャリアと呼ばれる。ＭＢＷが、奇数であるとき、中心サブキャリアの両側のサブキャリアの数は、等しい一方、ＭＢＷが、偶数であるとき、中心サブキャリアの両側のサブキャリア間の数の差は、１である。狭帯域直交周波数分割多重化システムにおけるＭＢＷのサブキャリアのうちの中心サブキャリアのＬＴＥ帯域幅内のＰＲＢインデックスは、ＩＰＲＢであり、ＰＲＢ内の該中心サブキャリアのキャリアインデックスは、ＩＳＣであり、ＩＰＲＢおよびＩＳＣは、ゼロを上回るまたはそれと等しい整数である。
【００１８】
一実施形態では、リソース選択方略は、以下を含む。
ＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＮＰＲＢ／２未満であるとき、ＩＳＣ＝０、
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００１９】
一方、狭帯域直交周波数分割多重化システムにおけるＭＢＷのサブキャリアは、ＮＢＷが７２を上回るとき、ＬＴＥシステムにおける中心７２のサブキャリアと重複しない。
【００２０】
一実施形態では、リソース選択方略は、以下を含む。
ＮＢＷｍｏｄ２４＝１２であるとき、ＩＰＲＢおよびＩＳＣは、以下のうちの１項を満たす：
ＩＰＲＢｍｏｄ５＝０、ＩＰＲＢが、
【化３】
2020123980.tif 000005
未満であるとき、ＩＳＣ＝１０、ＩＰＲＢが、
【化３】
2020123980.tif 000006
を上回るとき、ＩＳＣ＝９、
ＩＰＲＢｍｏｄ５＝２、ＩＰＲＢが、
【化３】
2020123980.tif 000007
未満であるとき、ＩＳＣ＝６、ＩＰＲＢが、
【化３】
2020123980.tif 000008
を上回るとき、ＩＳＣ＝５、
ＩＰＲＢｍｏｄ５＝４、ＩＰＲＢが、
【化３】
2020123980.tif 000009
未満であるとき、ＩＳＣ＝２、ＩＰＲＢが、
【化３】
2020123980.tif 000010
を上回るとき、ＩＳＣ＝１、
上記では、ｍｏｄは、合同算術であり、
【化４】
2020123980.tif 000011
は、床関数を表す。
【００２１】
一方、狭帯域直交周波数分割多重化システムにおけるＭＢＷのサブキャリアは、ＮＢＷが７２を上回るとき、ＬＴＥシステムにおける中心７２のサブキャリアと重複しない。
【００２２】
一実施形態では、リソース選択方略は、以下を含む。
【化５】
2020123980.tif 000012
かつＮＢＷｍｏｄ２４＝０であるとき、ＩＰＲＢおよびＩＳＣは、以下のうちの１項を満たす：
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満であるとき、ＩＳＣ＝４、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００２３】
一実施形態では、リソース選択方略は、以下を含む。
【化５】
2020123980.tif 000013
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000014
未満であるとき、ＩＳＣ＝１０、
ＩＰＲＢｍｏｄ５＝２、かつＩＰＲＢが、
【化３】
2020123980.tif 000015
を上回るとき、ＩＳＣ＝５、
ＩＰＲＢｍｏｄ５＝４、ＩＰＲＢが、
【化３】
2020123980.tif 000016
未満であるとき、ＩＳＣ＝２、ＩＰＲＢが、
【化３】
2020123980.tif 000017
を上回るとき、ＩＳＣ＝１、
上記では、ｍｏｄは、合同算術であり、
【化４】
2020123980.tif 000018
は、床関数を表す。
【００２４】
一実施形態では、リソース選択方略は、以下を含む。
【化６】
2020123980.tif 000019
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２未満であるとき、ＩＳＣ＝８、
ＩＰＲＢｍｏｄ５＝３、かつＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００２５】
一実施形態では、リソース選択方略は、以下を含む。
【化６】
2020123980.tif 000020
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000021
未満であるとき、ＩＳＣ＝９、
ＩＰＲＢｍｏｄ５＝２、ＩＰＲＢが、
【化３】
2020123980.tif 000022
未満であるとき、ＩＳＣ＝６、ＩＰＲＢが、
【化３】
2020123980.tif 000023
を上回るとき、ＩＳＣ＝５、
ＩＰＲＢｍｏｄ５＝４、かつＩＰＲＢが、
【化３】
2020123980.tif 000024
未満であるとき、ＩＳＣ＝２、
上記では、ｍｏｄは、合同算術であり、
【化４】
2020123980.tif 000025
は、床関数を表す。
【００２６】
一実施形態では、リソース選択方略は、以下を含む。
【化７】
2020123980.tif 000026
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００２７】
一実施形態では、リソース選択方略は、以下を含む。
【化７】
2020123980.tif 000027
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000028
を上回るとき、ＩＳＣ＝９、
ＩＰＲＢｍｏｄ５＝２、かつＩＰＲＢが、
【化３】
2020123980.tif 000029
未満であるとき、ＩＳＣ＝６、
ＩＰＲＢｍｏｄ５＝４、かつＩＰＲＢが、
【化３】
2020123980.tif 000030
を上回るとき、ＩＳＣ＝１、
上記では、ｍｏｄは、合同算術であり、
【化４】
2020123980.tif 000031
は、床関数を表す。
【００２８】
ステップ１２：狭帯域直交周波数分割多重化システムにおける判定されたスペクトルリソース上で狭帯域直交周波数分割多重化信号を伝送する。
【００２９】
一実施形態では、ステップ１２は、狭帯域直交周波数分割多重化システムにおける１つ以上のサブキャリア上で同期信号を伝送することを含む。そのうち、異なる直交周波数分割多重化（ＯＦＤＭ）シンボル内では、同期信号は、異なるサブキャリアを占有する。
【００３０】
上記に関して、同期信号は、以下の情報のうちの少なくとも１つを搬送する。
狭帯域直交周波数分割多重化システムのセル識別情報であって、狭帯域直交周波数分割多重化システムにおいて搬送されるセル識別情報は、同期信号が狭帯域直交周波数分割多重化システムのセル識別情報を搬送するときのＬＴＥシステムにおけるものと同一である。
ＬＴＥシステムにおける狭帯域直交周波数分割多重化システムの中心サブキャリア等のＬＴＥシステムにおける狭帯域直交周波数分割多重化システムの周波数ドメイン位置（前述のＩＰＲＢおよびＩＳＣ）または該ＬＴＥシステムにおける狭帯域直交周波数分割多重化システムの周波数ドメイン位置情報の一部（前述のＩＰＲＢまたはＩＳＣのいずれか）。周波数ドメイン位置情報は、物理ブロードキャストチャネル内で搬送される信号伝達によって示される。
【００３１】
前述の同期信号は、狭帯域直交周波数分割多重化システムにおける中心サブキャリア上で伝送されない。
【００３２】
ここでは、同期信号は、一次同期信号と、二次同期信号とを含む。
【００３３】
一実施形態では、一次同期信号は、奇数番号が付与された無線フレーム上に位置するサブフレーム＃ｋ内で伝送される一方、二次同期信号は、偶数番号が付与された無線フレーム上に位置するサブフレーム＃ｋ内で伝送され、ｋの値は、１、２、３、６、７、および８を含む。代替として、一次同期信号は、偶数番号が付与された無線フレーム上に位置するサブフレーム＃ｍ内で伝送される一方、該二次同期信号は、奇数番号が付与された無線フレーム上に位置するサブフレーム＃ｍ内で伝送され、ｍの値は、１、２、３、４、６、７、および８を含む。サブフレームインデックスは、ゼロから開始する。
【００３４】
一実施形態では、一次同期信号は、奇数番号が付与された無線フレーム上に位置するサブフレーム＃ｎ内で伝送される一方、二次同期信号は、偶数番号が付与された無線フレーム上に位置するサブフレーム＃ｎ内で伝送され、ｎの値は、０、４、５、および９を含む。代替として、一次同期信号は、偶数番号が付与された無線フレーム上に位置するサブフレーム＃ｈ内で伝送される一方、二次同期信号は、奇数番号が付与された無線フレーム上に位置するサブフレーム＃ｈ内で伝送され、ｈの値は、０、４、５、および９を含む。サブフレームインデックスは、ゼロから開始する。
【００３５】
ここでは、同期信号を伝送するために使用されるサブフレーム内のＯＦＤＭシンボルの数は、４、６、８、９、１０、または１１である。
【００３６】
以下のオプションは、代替として利用可能である。４つのＯＦＤＭシンボルは、サブフレームの各スロット内の最後の２つのＯＦＤＭシンボルを含み、または６つのＯＦＤＭシンボルは、サブフレームの最後の６つの連続ＯＦＤＭシンボルを含み、または６つのＯＦＤＭシンボルは、サブフレームの各スロット内の最後の２つのＯＦＤＭシンボル、サブフレームの第２のスロット内の第３および第４のＯＦＤＭシンボルを含み、または６つのＯＦＤＭシンボルは、サブフレームの各スロット内の最後の２つのＯＦＤＭシンボル、サブフレームの各スロット内の第３のＯＦＤＭシンボルを含み、または８つのＯＦＤＭシンボルは、サブフレームの最後の８つの連続ＯＦＤＭシンボルを含み、または９つのＯＦＤＭシンボルは、サブフレームの最後の９つの連続ＯＦＤＭシンボルを含み、または１０のＯＦＤＭシンボルは、サブフレームの最後の１０の連続ＯＦＤＭシンボルを含み、または１１のＯＦＤＭシンボルは、サブフレームの最後の１１の連続ＯＦＤＭシンボルを含む。
【００３７】
同期信号ＯＦＤＭシンボルの数が、６を上回り、主な考慮点が、同期チャネルとセル基準信号との間のリソース重複シナリオであるとき、同期信号を伝送するために使用されるＯＦＤＭシンボルの数は、そのシナリオ下で同期チャネルの性能を保証するために、８、９、１０、または１１にさらに更新されるべきである。
【００３８】
同期信号ＯＦＤＭシンボルの数が、６を上回り、主な考慮点が、同期チャネルとセル基準信号との間のリソース非重複（より少ない重複）シナリオであるとき、セル特有の基準信号を伝送するために使用されないＯＦＤＭシンボルは、相互間の相互影響を低減させるために、優先順位で選択されるべきである。
【００３９】
異なるタイプの巡回プレフィックスが、考慮されなければならず、通常巡回プレフィックスおよび拡張巡回プレフィックスの定義は、別個に与えられるべきである。例えば、通常巡回プレフィックスおよび拡張巡回プレフィックスは、同期チャネルを伝送するために、異なるＯＦＤＭシンボル量を選定し、または通常巡回プレフィックスおよび拡張巡回プレフィックスは、同期チャネルを伝送するために、同一ＯＦＤＭ信号量を選定し、対応するＯＦＤＭ信号の位置が、異なる。
【００４０】
用途１
通常巡回プレフィックスでは、６つのＯＦＤＭシンボルが、サブフレームの各スロット内の最後の２つのＯＦＤＭシンボルと、サブフレームの第２のスロット内の第３および第４のＯＦＤＭシンボルとを含む。
拡張巡回プレフィックスでは、６つのＯＦＤＭシンボルは、サブフレームの各スロット内の最後の２つのＯＦＤＭシンボルと、サブフレームの各スロット内の第３のＯＦＤＭシンボルとを含む。
【００４１】
用途２
通常巡回プレフィックスでは、伝送同期チャネルのＯＦＤＭシンボルの数は、８または９である。
拡張巡回プレフィックスでは、伝送同期チャネルのＯＦＤＭシンボルの数は、９、１０、または１１である。
または通常巡回プレフィックスおよび拡張巡回プレフィックスの両方において一意のマッピングモードを利用する。
用途１
通常巡回プレフィックスでは、伝送同期チャネルのＯＦＤＭシンボルの数は、６である。６つのＯＦＤＭシンボルは、サブフレームの各スロット内の最後の２つのＯＦＤＭシンボルと、サブフレームの第２のスロット内の第３のＯＦＤＭシンボルとを含む。
拡張巡回プレフィックスでは、伝送同期チャネルのＯＦＤＭシンボルの数は、６である。６つのＯＦＤＭシンボルは、サブフレームの各スロット内の最後の２つのＯＦＤＭシンボルと、サブフレームの各スロット内の第３のＯＦＤＭシンボルとを含む。
用途２
通常巡回プレフィックスでは、伝送同期チャネルのＯＦＤＭシンボルの数は、４である。４つのＯＦＤＭシンボルは、サブフレームの各スロット内の最後の２つのＯＦＤＭシンボルを含む。
拡張巡回プレフィックスでは、伝送同期チャネルのＯＦＤＭシンボルの数は、４である。４つのＯＦＤＭシンボルは、サブフレームの各スロット内の最後の２つのＯＦＤＭシンボルを含む。
【００４２】
一実施形態では、ステップ１２は、判定された狭帯域直交周波数分割多重化システムにおける１つ以上のサブキャリア上で基準信号を伝送することを含む。
【００４３】
一実施形態では、判定された狭帯域直交周波数分割多重化システムにおける１つ以上のサブキャリア上で基準信号を伝送することは、
判定された狭帯域直交周波数分割多重化システムにおけるＭＢＷのサブキャリアから選択される、｛０，３，６，９，．．．，
【化８】
2020123980.tif 000032
｝のサブキャリアセット内の１つ以上のサブキャリア上で基準信号を伝送することを含み、ここでは、ＭＢＷは、３を上回る整数であり、
【化１】
2020123980.tif 000033
は、ＬＴＥシステムにおけるセル識別コードであり、ｍｏｄは、合同算術であり、
【化４】
2020123980.tif 000034
は、床関数を表す。
【００４４】
一実施形態では、伝送される基準信号は、ＬＴＥシステムにおけるＭＢＷのサブキャリア伝送と対応するセル特有の基準信号と同一の基準信号、および／またはＬＴＥシステムにおけるＭＢＷのサブキャリア伝送と対応するセル特有の基準信号のサブセットを含む。ＭＢＷは、狭帯域直交周波数分割多重化システムに含まれるサブキャリアの数である。例えば、伝送される基準信号は、いくつかのサブフレーム内のＬＴＥシステムにおけるＭＢＷのサブキャリア伝送と対応するセル基準信号と同一である。他のサブフレームでは、伝送される基準信号は、ＬＴＥシステムにおけるＭＢＷのサブキャリア伝送と対応するセル特有の基準信号のサブセットである。
【００４５】
伝送される基準信号が、ＬＴＥシステムにおけるＭＢＷのサブキャリア伝送と対応するセル特有の基準信号のサブセットであるとき、伝送される基準信号は、
対応するＭＢＷサブキャリア上のＬＴＥシステムにおけるアンテナポートの一部によって伝送されるセル特有の基準信号（すなわち、アンテナポート０のセル特有の基準信号は、ＬＴＥシステムにおける複数のアンテナポートのセル基準信号から伝送するためだけに選定されることができる）、および／または
ＬＴＥシステムにおけるアンテナポートの一部上の対応するＭＢＷのサブキャリアのサブセットのセル特有の基準信号
を含む。
【００４６】
一実施形態では、伝送される基準信号は、配分されたセル識別コードに基づいて判定される。配分されたセル識別とＬＴＥシステムにおけるものとの間の差は、３の倍数である。
【００４７】
ここでは、基準信号は、狭帯域直交周波数分割多重化システムの中心サブキャリア上で伝送されない。
【００４８】
さらに説明が必要とされることは、放射および／または受信を含む、実施形態において提供される方法のために述べられる伝送についてである。
【００４９】
図２は、本開示のいくつかの実施形態による、狭帯域直交周波数分割多重化信号を伝送するための方法のフローチャートである。図２に示されるように、実施形態の説明は、以下の通りである。
ステップ１０１：狭帯域直交周波数分割多重化システムのスペクトルリソースを判定する。
【００５０】
基地局が、狭帯域直交周波数分割多重化システムと共有されるＬＴＥシステム帯域幅に従って、狭帯域直交周波数分割多重化システムのスペクトルリソースを判定することができる。ＬＴＥシステムにおける帯域幅は、ＮＢＷの利用可能なサブキャリアを含み、故に、帯域幅は、ＮＰＲＢのＰＲＢを含み、
【化２】
2020123980.tif 000035
である。サブキャリアインデックスは、０、１、２、．．．、ＮＢＷ−１である一方、ＰＲＢインデックスは、０、１、２、．．．、ＮＰＲＢ−１であり、狭帯域直交周波数分割多重化システムにおけるＭＢＷのサブキャリアのうちの中心サブキャリアのＬＴＥシステムにおける帯域幅内のＰＲＢインデックスは、ＩＰＲＢ（ＩＰＲＢ＝０、１．．．）である。該中心サブキャリアのＰＲＢ内のキャリアインデックスは、ＩＳＣ（ＩＳＣ＝０、１．．．）である。ＭＢＷは、３を上回る整数である。
【００５１】
ＮＢＷｍｏｄ２４＝０であるとき、基地局によって選択されたスペクトルリソース内の中心サブキャリアのＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００５２】
したがって、基地局は、上記の条件のうちの１つに従って、判定された直交周波数分割多重化システムにおける中心サブキャリアならびに該ＭＢＷのサブキャリアを定義することができる。例えば、該ＬＴＥシステムにおける帯域幅が、ＮＢＷ＝１２００のサブキャリアを含む場合であり、ＮＰＲＢ＝１００であるとき、基地局は、上記の第２の条件（ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７）に従って、中心サブキャリアを選択することができる。ここで、上記の第２の条件を満たすＩＰＲＢは、１、６、１１、１６、．．．、９６であり、基地局は、ＩＰＲＢ＝１を選択することができ、したがって、ＩＳＣ＝８である。
【００５３】
ＮＢＷｍｏｄ２４＝１２であるとき、基地局によって選択されたスペクトルリソース内の中心サブキャリアのＩＰＲＢおよびＩＳＣは、以下のうちの１項を満たす：
ＩＰＲＢｍｏｄ５＝０、ＩＰＲＢが、
【化３】
2020123980.tif 000036
未満であるとき、ＩＳＣ＝１０、ＩＰＲＢが、
【化３】
2020123980.tif 000037
を上回るとき、ＩＳＣ＝９、
ＩＰＲＢｍｏｄ５＝２、ＩＰＲＢが、
【化３】
2020123980.tif 000038
未満であるとき、ＩＳＣ＝６、ＩＰＲＢが、
【化３】
2020123980.tif 000039
を上回るとき、ＩＳＣ＝５、
ＩＰＲＢｍｏｄ５＝４、ＩＰＲＢが、
【化３】
2020123980.tif 000040
未満であるとき、ＩＳＣ＝２、ＩＰＲＢが、
【化３】
2020123980.tif 000041
を上回るとき、ＩＳＣ＝１、
上記では、ｍｏｄは、合同算術であり、
【化４】
2020123980.tif 000042
は、床関数を表す。
【００５４】
したがって、基地局は、上記の条件のうちの１つに従って、判定された直交周波数分割多重化システムにおける中心サブキャリアならびに該ＭＢＷのサブキャリアを定義することができる。例えば、該ＬＴＥシステムにおける帯域幅が、ＮＢＷ＝３００のサブキャリアを含む場合、ＮＰＲＢ＝２５であるとき、基地局は、上記の第１の条件（ＩＰＲＢｍｏｄ５＝０、ＩＰＲＢが、
【化３】
2020123980.tif 000043
未満であるとき、ＩＳＣ＝１０、ＩＰＲＢが、
【化３】
2020123980.tif 000044
を上回るとき、ＩＳＣ＝９）に従って、中心サブキャリアを確認することができる。ここでは、上記の第１の条件を満たすＩＰＲＢは、０、５、１５、２０であり、基地局は、ＩＰＲＢ＝５を選択することができ、したがって、ＩＳＣ＝１０である。
【００５５】
さらに、狭帯域直交周波数分割多重化システムにおけるＭＢＷのサブキャリアは、ＮＢＷが７２を上回るとき、ＬＴＥシステムにおける中心７２のサブキャリアと重複しない。
【００５６】
ステップ１０２：狭帯域直交周波数分割多重化システムにおいて同期信号を伝送する。
【００５７】
基地局は、上記で選択されたＭＢＷのサブキャリアからの１つ以上のサブキャリア上で同期信号を伝送し得る。そのうち、異なるＯＦＤＭシンボルのために同期信号によって占有されるサブキャリアは、異なり得、同期信号は、以下の情報のうちの少なくとも１つを搬送すべきである。
狭帯域直交周波数分割多重化システムのセル識別情報であって、搬送されるセル識別情報は、セル識別情報が同期信号によって搬送されるときのＬＴＥシステムにおけるものと同一であり得る。
ＬＴＥシステムにおける該中心サブキャリアの周波数ドメイン位置等のＬＴＥシステムにおける狭帯域直交周波数分割多重化システムの周波数ドメイン位置情報（前述のＩＰＲＢ、ＩＳＣ）またはＬＴＥシステムにおける該狭帯域直交周波数分割多重化システムの周波数ドメイン位置情報の一部（前述のＩＰＲＢまたはＩＳＣのいずれか）。
【００５８】
関連システムでは、狭帯域直交周波数分割多重化システムの端末は、最初に、６つの中心ＰＲＢ上で伝送される同期信号またはブロードキャスト信号等、ＬＴＥシステムの６つの中心ＰＲＢ上で情報を正しく検出する必要があり、次いで、対応する狭帯域周波数スペクトルに切り替えることができる。同期信号およびブロードキャスト信号の帯域幅が６つのＰＲＢであることに起因して、これは、狭帯域直交周波数分割多重化システム端末の帯域幅容量が、少なくとも６つのＰＲＢであり、狭帯域直交周波数分割多重化システム端末のコストを低減させるのに非常に好ましくないことを意味する。加えて、前述の切替はまた、狭帯域直交周波数分割多重化システムにアクセスする狭帯域直交周波数分割多重化システム端末の速度に影響を及ぼす。しかし、本実施形態では、狭帯域直交周波数分割多重化システム端末の帯域幅容量は、ＭＢＷのサブキャリアと同程度のみ要求される。さらに、前述の同期信号の伝送位置もまた、端末が同期信号上で高速検出を行うことを容易にし、システムにアクセスする端末の速度は、任意の余剰ハードウェアコストおよび電力消費を伴わずに向上される。
【００５９】
ステップ１０３：狭帯域直交周波数分割多重化システムの基準信号を伝送する。
【００６０】
基地局は、上記で選択されたＭＢＷのサブキャリアからの１つ以上のサブキャリア上で基準信号を伝送する。伝送される基準信号は、ＬＴＥシステムにおける対応するＭＢＷのサブキャリア上で伝送されるセル基準信号、または該ＬＴＥシステムにおける対応するＭＢＷのサブキャリア上で伝送されるセル基準信号のサブセットと同一である。
【００６１】
別の実施形態では、基地局は、狭帯域直交周波数分割多重化システムと帯域幅を共有する、ＬＴＥシステムの帯域幅と、ＬＴＥシステムのセル識別とに従って、狭帯域直交周波数分割多重化システムのスペクトルリソースを判定することができる。
【００６２】
ＬＴＥシステムのセル識別が、
【化１】
2020123980.tif 000045
であり、ＬＴＥシステムの帯域幅が、ＮＢＷの利用可能なサブキャリアを含む場合、故に、帯域幅は、ＮＰＲＢのＰＲＢ（物理リソースブロック）を含み、
【化２】
2020123980.tif 000046
である。サブキャリアインデックスは、０、１、２、．．．、ＮＢＷ−１である一方、ＰＲＢインデックスは、０、１、２、．．．、ＮＰＲＢ−１であり、ＮＢＷおよびＮＰＲＢは両方とも、ゼロを上回る整数である。狭帯域直交周波数分割多重化システムにおける帯域幅は、ＭＢＷのサブキャリアを含み、ＭＢＷは、３を上回る整数である。ＭＢＷのサブキャリアは、対応する周波数に従って、あるサブキャリアを中心として使用し、サブキャリアは、中心サブキャリアと呼ばれる。ＭＢＷが、奇数であるとき、中心サブキャリアの両側のサブキャリアの数は、等しい一方、ＭＢＷが、偶数であるとき、中心サブキャリアの両側のサブキャリア間の数の差は、１である。狭帯域直交周波数分割多重化システムにおけるＭＢＷのサブキャリア間の中心サブキャリアのＬＴＥ帯域幅内のＰＲＢインデックスは、ＩＰＲＢであり、ＰＲＢ内の該中心サブキャリアのキャリアインデックスは、ＩＳＣであり、ＩＰＲＢおよびＩＳＣは、ゼロを上回るまたはそれと等しい整数である。
【００６３】
【化５】
2020123980.tif 000047
かつＮＢＷｍｏｄ２４＝０であるとき、ＩＰＲＢおよびＩＳＣは、以下のうちの１項を満たす：
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満であるとき、ＩＳＣ＝４、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００６４】
【化５】
2020123980.tif 000048
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000049
未満であるとき、ＩＳＣ＝１０、
ＩＰＲＢｍｏｄ５＝２、かつＩＰＲＢが、
【化３】
2020123980.tif 000050
を上回るとき、ＩＳＣ＝５、
ＩＰＲＢｍｏｄ５＝４、ＩＰＲＢが、
【化３】
2020123980.tif 000051
未満であるとき、ＩＳＣ＝２、ＩＰＲＢが、
【化３】
2020123980.tif 000052
を上回るとき、ＩＳＣ＝１。
上記では、ｍｏｄは、合同算術であり、
【化４】
2020123980.tif 000053
は、床関数を表す。
【００６５】
【化６】
2020123980.tif 000054
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２未満であるとき、ＩＳＣ＝８、
ＩＰＲＢｍｏｄ５＝３、かつＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００６６】
【化６】
2020123980.tif 000055
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000056
未満であるとき、ＩＳＣ＝９、
ＩＰＲＢｍｏｄ５＝２、ＩＰＲＢが、
【化３】
2020123980.tif 000057
未満であるとき、ＩＳＣ＝６、ＩＰＲＢが、
【化３】
2020123980.tif 000058
を上回るとき、ＩＳＣ＝５、
ＩＰＲＢｍｏｄ５＝４、かつＩＰＲＢが、
【化３】
2020123980.tif 000059
未満であるとき、ＩＳＣ＝２、
上記では、ｍｏｄは、合同算術であり、
【化４】
2020123980.tif 000060
は、床関数を表す。
【００６７】
【化７】
2020123980.tif 000061
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００６８】
【化７】
2020123980.tif 000062
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000063
を上回るとき、ＩＳＣ＝９、
ＩＰＲＢｍｏｄ５＝２、かつＩＰＲＢが、
【化３】
2020123980.tif 000064
未満であるとき、ＩＳＣ＝６、
ＩＰＲＢｍｏｄ５＝４、かつＩＰＲＢが、
【化３】
2020123980.tif 000065
を上回るとき、ＩＳＣ＝１、
上記では、ｍｏｄは、合同算術であり、
【化４】
2020123980.tif 000066
は、床関数を表す。
【００６９】
実施形態では、基地局は、上記で選択されたＭＢＷのサブキャリアからの１つ以上のサブキャリア上で基準信号を伝送する。代替として、伝送される基準信号の観点から、基地局は、ＭＢＷのサブキャリアのための選択されたセットである、｛０，３，６，９，．．．，
【化８】
2020123980.tif 000067
｝のサブキャリアセット内の１つ以上のサブキャリア上で基準信号を伝送する。
【００７０】
すなわち、
【化５】
2020123980.tif 000068
であるとき、基地局は、上記で選択されたＭＢＷのサブキャリア上での｛０，３，６，９，．．．，
【化９】
2020123980.tif 000069
｝のサブキャリアセットからの１つ以上のサブキャリア上で基準信号を伝送する。
【化６】
2020123980.tif 000070
であるとき、基地局は、上記で選択されたＭＢＷのサブキャリア上の｛１，４，７，１０，．．．，
【化９】
2020123980.tif 000071
＋１｝のサブキャリアセットからの１つ以上のサブキャリア上で基準信号を伝送する。
【化７】
2020123980.tif 000072
であるとき、基地局は、上記で選択されたＭＢＷのサブキャリア上の｛２，５，８，１１，．．．，
【化９】
2020123980.tif 000073
＋２｝のサブキャリアセットからの１つ以上のサブキャリア上で基準信号を伝送する。
【００７１】
この場合、伝送される基準信号は、前述の実施形態に関して説明される全ての利点を伴うだけではなく、また、狭帯域直交周波数分割多重化システムにおける中心サブキャリア上で伝送されることもない。したがって、狭帯域直交周波数分割多重化システムの端末によって受信された基準信号は、該中心サブキャリアが狭帯域直交周波数分割多重化システムのＤＣサブキャリアとして使用されるとき、影響されないであろう。
【００７２】
さらに、前述の利点に加え、基地局はまた、構成されたセル識別に従って、該基準信号を生成することができる。ここでの構成されたセル識別は、ＬＴＥシステムにおけるセル識別と異なり得る（当然ながら、同一でもあり得る）。さらに、構成されたセル識別とＬＴＥシステムのセル識別との間の差は、３の倍数である。
【００７３】
別の実施形態では、基地局によって伝送される基準信号はまた、ＬＴＥシステムの対応するＭＢＷのサブキャリア上で伝送されるセル基準信号、またはＬＴＥシステムにおける対応するＭＢＷのサブキャリア上で伝送されるセル基準信号のサブセットと同一であり得る。中心サブキャリアが、狭帯域直交周波数分割多重化システムのＤＣサブキャリアとして使用されるとき、これはまた、以下の状況を回避することができ、すなわち、ＬＴＥシステムの端末が、基準信号がそのキャリア上で伝送されるかのように、復調を行う一方、実際には、キャリアは、任意の基準信号を搬送しない。サブキャリアは、狭帯域直交周波数分割多重化システムのＤＣサブキャリアとして使用され、それによって、ＬＴＥシステム端末の復調性能に有意な悪影響を及ぼす。
【００７４】
図３は、本開示のある実施形態による、狭帯域直交周波数分割多重化信号を伝送するためのデバイスの概略図を提示する。図３に示されるように、実施形態に提供される狭帯域直交周波数分割多重化信号を伝送するためのデバイスは、例えば、基地局に適用され、および／または端末に適用され、スペクトルリソース判定ブロックと、伝送ブロックとを備える。スペクトルリソース判定ブロックは、リソース選択方略に従って、狭帯域直交周波数分割多重化システムと共有される、ＬＴＥシステム帯域幅内の狭帯域直交周波数分割多重化システムのスペクトルリソースを判定する。伝送ブロックのための設定は、狭帯域直交周波数分割多重化システムの判定されたスペクトルリソース上で狭帯域直交周波数分割多重化信号を伝送することである。実際の用途では、スペクトルリソース判定ブロックは、プロセッサ等の情報処理能力を伴う電子デバイスを指す一方、伝送ブロックは、送信機等の情報伝送能力を伴う通信コンポーネントを指す。
【００７５】
ここでは、狭帯域直交周波数分割多重化信号のサブキャリア間隔は、１５ｋＨｚであり、これは、ＬＴＥシステムのものと同一である。
【００７６】
ＬＴＥシステムにおけるセル識別コードが、
【化１】
2020123980.tif 000074
であり、ＬＴＥシステムの帯域幅が、ＮＢＷの利用可能なサブキャリアを含む場合、故に、帯域幅は、ＮＰＲＢのＰＲＢ（物理リソースブロック）を含み、
【化２】
2020123980.tif 000075
である。サブキャリアインデックスは、０、１、２、．．．、ＮＢＷ−１である一方、ＰＲＢインデックスは、０、１、２、．．．、ＮＰＲＢ−１であり、ＮＢＷおよびＮＰＲＢは両方とも、ゼロを上回る整数である。狭帯域直交周波数分割多重化システムにおける帯域幅は、ＭＢＷのサブキャリアを含み、ＭＢＷは、３を上回る整数である。該ＭＢＷのサブキャリアは、対応する周波数に従って、あるサブキャリアを中心として使用し、サブキャリアは、中心サブキャリアと呼ばれる。ＭＢＷが、奇数であるとき、中心サブキャリアの両側のサブキャリアの数は、等しい一方、ＭＢＷが、偶数であるとき、中心サブキャリアの両側のサブキャリア間の数の差は、１である。狭帯域直交周波数分割多重化システムにおけるＭＢＷのサブキャリアのうちの中心サブキャリアのＬＴＥ帯域幅内のＰＲＢインデックスは、ＩＰＲＢであり、ＰＲＢ内の該中心サブキャリアのキャリアインデックスは、ＩＳＣであり、ＩＰＲＢおよびＩＳＣは、ゼロを上回るまたはそれと等しい整数である。
【００７７】
一実施形態では、リソース選択方略は、以下を含む。
ＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００７８】
ここでは、該狭帯域直交周波数分割多重化システムにおけるＭＢＷのサブキャリアは、ＮＢＷが７２を上回るとき、ＬＴＥシステムにおける中心７２のサブキャリアと重複しない。
【００７９】
一実施形態では、リソース選択方略は、以下を含む。
ＮＢＷｍｏｄ２４＝１２であるとき、ＩＰＲＢおよびＩＳＣは、以下のうちの１項を満たす：
ＩＰＲＢｍｏｄ５＝０、ＩＰＲＢが、
【化３】
2020123980.tif 000076
未満であるとき、ＩＳＣ＝１０、ＩＰＲＢが、
【化３】
2020123980.tif 000077
を上回るとき、ＩＳＣ＝９、
ＩＰＲＢｍｏｄ５＝２、ＩＰＲＢが、
【化３】
2020123980.tif 000078
未満であるとき、ＩＳＣ＝６、ＩＰＲＢが、
【化３】
2020123980.tif 000079
を上回るとき、ＩＳＣ＝５、
ＩＰＲＢｍｏｄ５＝４、ＩＰＲＢが、
【化３】
2020123980.tif 000080
未満であるとき、ＩＳＣ＝２、ＩＰＲＢが、
【化３】
2020123980.tif 000081
を上回るとき、ＩＳＣ＝１、
上記では、ｍｏｄは、合同算術であり、
【化４】
2020123980.tif 000082
は、床関数を表す。
【００８０】
ここでは、該狭帯域直交周波数分割多重化システムにおけるＭＢＷのサブキャリアは、ＮＢＷが７２を上回るとき、ＬＴＥシステムにおける中心７２のサブキャリアと重複しない。
【００８１】
一実施形態では、リソース選択方略は、以下を含む。
【化５】
2020123980.tif 000083
かつＮＢＷｍｏｄ２４＝０であるとき、ＩＰＲＢおよびＩＳＣは、以下のうちの１項を満たす：
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満であるとき、ＩＳＣ＝４、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００８２】
一実施形態では、リソース選択方略は、以下を含む。
【化５】
2020123980.tif 000084
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000085
未満であるとき、ＩＳＣ＝１０、
ＩＰＲＢｍｏｄ５＝２、かつＩＰＲＢが、
【化３】
2020123980.tif 000086
を上回るとき、ＩＳＣ＝５、
ＩＰＲＢｍｏｄ５＝４、ＩＰＲＢが、
【化３】
2020123980.tif 000087
未満であるとき、ＩＳＣ＝２、ＩＰＲＢが、
【化３】
2020123980.tif 000088
を上回るとき、ＩＳＣ＝１、
上記では、ｍｏｄは、合同算術であり、
【化４】
2020123980.tif 000089
は、床関数を表す。
【００８３】
一実施形態では、リソース選択方略は、以下を含む。
【化６】
2020123980.tif 000090
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２未満であるとき、ＩＳＣ＝８、
ＩＰＲＢｍｏｄ５＝３、かつＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００８４】
一実施形態では、リソース選択方略は、以下を含む。
【化６】
2020123980.tif 000091
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000092
未満であるとき、ＩＳＣ＝９、
ＩＰＲＢｍｏｄ５＝２、ＩＰＲＢが、
【化３】
2020123980.tif 000093
未満であるとき、ＩＳＣ＝６、ＩＰＲＢが、
【化３】
2020123980.tif 000094
を上回るとき、ＩＳＣ＝５、
ＩＰＲＢｍｏｄ５＝４、かつＩＰＲＢが、
【化３】
2020123980.tif 000095
未満であるとき、ＩＳＣ＝２、
上記では、ｍｏｄは、合同算術であり、
【化４】
2020123980.tif 000096
は、床関数を表す。
【００８５】
一実施形態では、リソース選択方略は、以下を含む。
【化７】
2020123980.tif 000097
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回るとき、ＩＳＣ＝１１、
上記では、ｍｏｄは、合同算術を表す。
【００８６】
一実施形態では、リソース選択方略は、以下を含む。
【化７】
2020123980.tif 000098
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000099
を上回るとき、ＩＳＣ＝９、
ＩＰＲＢｍｏｄ５＝２、かつＩＰＲＢが、
【化３】
2020123980.tif 000100
未満であるとき、ＩＳＣ＝６、
ＩＰＲＢｍｏｄ５＝４、かつＩＰＲＢが、
【化３】
2020123980.tif 000101
を上回るとき、ＩＳＣ＝１、
上記では、ｍｏｄは、合同算術であり、
【化４】
2020123980.tif 000102
は、床関数を表す。
【００８７】
一実施形態では、伝送ブロックの設定は、以下の方法を通して、狭帯域直交周波数分割多重化システムにおけるスペクトルリソースから狭帯域直交周波数分割多重化信号を伝送することである。すなわち、確認された狭帯域直交周波数分割多重化システムにおける１つ以上のサブキャリア上で同期信号を伝送することであって、異なる狭帯域直交周波数分割多重化ＯＦＤＭシンボルでは、同期信号は、異なるサブキャリアを占有する。
【００８８】
代替として、同期信号は、以下の情報のうちの少なくとも１つを搬送すべきである。
狭帯域直交周波数分割多重化システムにおけるセル識別情報。
ＬＴＥシステムにおける狭帯域直交周波数分割多重化システムの周波数ドメイン位置情報。
【００８９】
代替として、同期信号は、狭帯域直交周波数分割多重化システムの中心サブキャリア上で伝送されない。
または、周波数ドメイン位置情報は、物理ブロードキャストチャネル内で搬送される信号伝達によって示される。
または、同期信号は、一次同期信号と、二次同期信号とを含む。
【００９０】
代替として、一次同期信号は、奇数番号が付与された無線フレーム上に位置するサブフレーム＃ｋ内で伝送される一方、二次同期信号は、偶数番号が付与された無線フレーム上に位置するサブフレーム＃ｋ内で伝送され、ｋの値は、１、２、３、６、７、８を含み、または一次同期信号は、偶数番号が付与された無線フレーム上に位置するサブフレーム＃ｍ内で伝送される一方、二次同期信号は、奇数番号が付与された無線フレーム上に位置するサブフレーム＃ｍ内で伝送され、ｍの値は、１、２、３、４、６、７、８を含む。サブフレームインデックスは、ゼロから開始する。
【００９１】
代替として、一次同期信号は、奇数番号が付与された無線フレーム上に位置するサブフレーム＃ｎ内で伝送される一方、二次同期信号は、偶数番号が付与された無線フレーム上に位置するサブフレーム＃ｎ内で伝送され、ｎの値は、０、４、５、９を含み、または一次同期信号は、偶数番号が付与された無線フレーム上に位置するサブフレーム＃ｈ内で伝送される一方、二次同期信号は、奇数番号が付与された無線フレーム上に位置するサブフレーム＃ｈ内で伝送され、ｈの値は、０、４、５、９を含む。サブフレームインデックスは、ゼロから開始する。
【００９２】
代替として、同期信号を伝送するために使用されるサブフレーム内のＯＦＤＭシンボルの数は、４、６、８、９、１０、または１１である。
【００９３】
代替として、４つのＯＦＤＭシンボルは、サブフレームの各スロット内の最後の２つのＯＦＤＭシンボルを含み、または６つのＯＦＤＭシンボルは、サブフレームの最後の６つの連続ＯＦＤＭシンボルを含み、または６つのＯＦＤＭシンボルは、サブフレームの各スロット内の最後の２つのＯＦＤＭシンボル、サブフレームの第２のスロット内の第３および第４のＯＦＤＭシンボルを含み、または６つのＯＦＤＭシンボルは、サブフレームの各スロット内の最後の２つのＯＦＤＭシンボル、サブフレームの各スロット内の第３のＯＦＤＭシンボルを含み、または８つのＯＦＤＭシンボルは、サブフレームの最後の８つの連続ＯＦＤＭシンボルを含み、または９つのＯＦＤＭシンボルは、サブフレームの最後の９つの連続ＯＦＤＭシンボルを含み、または１０のＯＦＤＭシンボルは、サブフレームの最後の１０の連続ＯＦＤＭシンボルを含み、または１１のＯＦＤＭシンボルは、サブフレームの最後の１１の連続ＯＦＤＭシンボルを含む。
【００９４】
一実施形態では、伝送ブロックの設定は、以下の方法：確認された狭帯域直交周波数分割多重化システムにおける１つ以上のサブキャリア上で基準信号を伝送することを通して、狭帯域直交周波数分割多重化システムのスペクトルリソースを使用して、狭帯域直交周波数分割多重化信号を伝送することである。
【００９５】
代替として、伝送ブロックの設定は、以下の方法を通して、判定された狭帯域直交周波数分割多重化システムにおける１つ以上のサブキャリア上で基準信号を伝送することである。
すなわち、判定された直交周波数分割多重化システムにおけるＭＢＷのサブキャリアからの選択されたセットである、｛０，３，６，９，．．．，
【化８】
2020123980.tif 000103
｝のサブキャリアセット内の１つ以上のサブキャリア上で基準信号を伝送することである。ここでは、ＭＢＷは、３を上回る整数であり、
【化１】
2020123980.tif 000104
は、ＬＴＥシステムにおけるセル識別コードであり、ｍｏｄは、合同算術であり、
【化４】
2020123980.tif 000105
は、床関数を表す。
【００９６】
代替として、伝送される基準信号は、ＬＴＥシステムにおける対応するＭＢＷのサブキャリア内で伝送される同一の基準信号、および／またはＬＴＥシステムにおける対応するＭＢＷのサブキャリア内で伝送されるセル特有の基準信号のサブセットを含む。ここでは、ＭＢＷは、狭帯域直交周波数分割多重化システムに含まれるサブキャリアの数である。
【００９７】
代替として、伝送される基準信号が、ＬＴＥシステムにおける対応するＭＢＷのサブキャリア内で伝送されるセル特有の基準信号のサブセットであるとき、伝送される基準信号は、
ＬＴＥシステムのアンテナポートの一部上の対応するＭＢＷサブキャリア上で伝送される、セル特有の基準信号、および／または
ＭＢＷのサブキャリアのサブセットと対応するＬＴＥシステムのアンテナポートの一部によって伝送される、セル特有の基準信号
を含む。
【００９８】
代替として、伝送される基準信号は、配分されたセル識別コードによって判定され、配分されたセル識別コードとＬＴＥシステムにおけるものとの間の差は、３の倍数である。
【００９９】
代替として、基準信号は、狭帯域直交周波数分割多重化システムにおける中心サブキャリア上で伝送されない。
【０１００】
実施形態に提供されるデバイスに関して述べられた伝送は、伝送および／または受信を含むことに留意されたい。
【０１０１】
さらに、前述のデバイスのハンドリングプロシージャは、前述の方法に関するプロシージャと同一である。したがって、ここでは、繰り返されないものとする。
【０１０２】
要するに、本開示における実施形態によると、狭帯域直交周波数分割多重化システムが、ＬＴＥシステム帯域幅内の帯域幅リソースを利用するとき、狭帯域直交周波数分割多重化システムの端末は、基地局から伝送される同期信号をより迅速に検出することができる。システムにアクセスする端末の速度は、余剰ハードウェアコストおよび電力消費を伴わずに向上され、さらに、狭帯域直交周波数分割多重化システムの基準信号は、任意の信号伝達オーバーヘッドを伴わずに、従来のＬＴＥシステム端末によって使用され、かつ狭帯域直交周波数分割多重化システム端末によっても使用されることができる。基準信号の利用効率は、向上されるが、コスト節約の結果も、達成される。加えて、基準信号は、本開示の実施形態では、狭帯域直交周波数分割多重化システムの中心サブキャリア上で伝送されず、それによって、ＬＴＥシステム端末の変調の性能は、向上される。
【０１０３】
本開示の実施形態はまた、コンピュータ実行可能命令をその上に記憶する、コンピュータ可読記憶媒体を提供する。コンピュータ実行可能命令は、実行されると、狭帯域直交周波数分割多重化信号を伝送する前述の方法を実施する。
【０１０４】
当業者は、前述の方法に説明されるステップの全部または一部が、プログラム命令関連ハードウェア（プロセッサ等）によって行われることができることを理解されるであろう。プログラムは、読取専用メモリ、ディスク、またはＣＤ等のコンピュータ可読記憶媒体上に保存されることができる。代替として、前述の実施形態の全部または一部は、１つ以上の集積回路上に実装されることができる。故に、前述の実施形態におけるモジュール／ユニットは、集積回路を通して対応する機能を実装する等、ハードウェアによって実装されることができる、またはメモリ上に記憶されるプロセッサ実行プログラム／命令を通して対応する機能を実装する等、ソフトウェア機能ブロックを通して実装されることができる。本開示の実施形態は、ハードウェアおよびソフトウェアの任意の具体的形態の組み合わせに限定されない。
【０１０５】
上記は、本願の基本原理および主な特性ならびにその利点を図示および説明する。本願は、前述の実施形態に限定されない。明細書における実施形態および説明は、本願の原理を説明するためだけのものであって、本願の精神および範囲から逸脱することなく、変形例および改良も存在し得る。これらの変形例および改良は、依然として、本願の保護の範囲内となるであろう。
【産業上の利用可能性】
【０１０６】
本願の実施形態は、ＬＴＥシステム帯域幅内で狭帯域直交周波数分割多重化信号を伝送することを達成し、さらに、狭帯域直交周波数分割多重化システムサービスの端末のための便宜的、およびコスト削減である、信号検出を達成する、狭帯域直交周波数分割多重化信号を伝送するための方法およびデバイスを提供する。さらに、ＬＴＥシステムと狭帯域直交周波数分割多重化システムとの間の相互干渉も、低減される。
【図１】
2020123980.tif 000194
【図２】
2020123980.tif 000195
【図３】
2020123980.tif 000196
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
狭帯域直交周波数分割多重化信号を伝送するための方法であって、前記方法は、
リソース選択方略に従って、ＬＴＥシステム帯域幅において狭帯域直交周波数分割多重化システムのスペクトルリソースを判定することであって、前記ＬＴＥシステムおよび前記狭帯域直交周波数分割多重化システムは、帯域幅を共有する、ことと、
前記狭帯域直交周波数分割多重化システムの前記判定されたスペクトルリソース上で狭帯域直交周波数分割多重化信号を伝送することと
を含み、
前記ＬＴＥシステム帯域幅は、ＮＢＷの利用可能なサブキャリアを含み、前記狭帯域直交周波数分割多重化システムの帯域幅は、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスは、ＩＰＲＢであり、
ＮＢＷｍｏｄ２４＝１２であり、かつ、ＩＰＲＢｍｏｄ５＝２であり、
奇数個のＰＲＢのみが、前記ＬＴＥシステム帯域幅において前記狭帯域直交周波数分割多重化信号を伝送するために用いられる、方法。
【請求項２】
前記狭帯域直交周波数分割多重化システムの前記判定されたスペクトルリソース上で前記狭帯域直交周波数分割多重化信号を伝送することは、前記判定された狭帯域直交周波数分割多重化システムの１つ以上のサブキャリア上で同期信号を伝送することを含み、
第１の直交周波数分割多重化（ＯＦＤＭ）シンボルに対する同期信号によって占有されるサブキャリアは、前記第１のＯＦＤＭシンボルとは異なる第２のＯＦＤＭシンボルに対する同期信号によって占有されるサブキャリアとは異なる、請求項１に記載の方法。
【請求項３】
前記同期信号は、前記狭帯域直交周波数分割多重化システムのセル識別、および、前記ＬＴＥシステムにおける前記狭帯域直交周波数分割多重化システムの周波数ドメイン位置のうちの少なくとも１つを搬送する、請求項２に記載の方法。
【請求項４】
前記周波数ドメイン位置は、物理ブロードキャストチャネル内で搬送される信号伝達によって示される、請求項３に記載の方法。
【請求項５】
前記同期信号は、一次同期信号と二次同期信号とのうちの少なくとも１つを含む、請求項２に記載の方法。
【請求項６】
前記狭帯域直交周波数分割多重化システムの前記判定されたスペクトルリソース上で前記狭帯域直交周波数分割多重化信号を伝送することは、前記判定された狭帯域直交周波数分割多重化システムにおける１つ以上のサブキャリア上で基準信号を伝送することを含む、請求項１に記載の方法。
【請求項７】
前記伝送される基準信号は、前記対応するＭＢＷのサブキャリアを経由して前記ＬＴＥシステムにおいて伝送されるセル特有の基準信号と同一である基準信号を含み、前記ＭＢＷは、前記狭帯域直交周波数分割多重化システムに含まれるサブキャリアの数である、請求項６に記載の方法。
【請求項８】
前記伝送される基準信号は、セル識別コードに基づいて判定される、請求項６に記載の方法。
【請求項９】
狭帯域直交周波数分割多重化信号を伝送するためのデバイスであって、前記デバイスは、
リソース選択方略に従って、ＬＴＥシステム帯域幅において狭帯域直交周波数分割多重化システムのスペクトルリソースを判定するように構成されている、スペクトルリソース判定ブロックであって、前記ＬＴＥシステムおよび前記狭帯域直交周波数分割多重化システムは、帯域幅を共有する、スペクトルリソース判定ブロックと、
前記狭帯域直交周波数分割多重化システムの前記判定されたスペクトルリソース上で狭帯域直交周波数分割多重化信号を伝送するように構成されている、伝送ブロックと
を備え、
前記ＬＴＥシステム帯域幅は、ＮＢＷの利用可能なサブキャリアを含み、前記狭帯域直交周波数分割多重化システムの帯域幅は、ＭＢＷのサブキャリアを含み、前記ＬＴＥシステム帯域幅内に位置する、前記狭帯域直交周波数分割多重化システムにおける前記ＭＢＷのサブキャリアの中心サブキャリアに対応する、物理リソースブロック（ＰＲＢ）のインデックスは、ＩＰＲＢであり、
ＮＢＷｍｏｄ２４＝１２であり、かつ、ＩＰＲＢｍｏｄ５＝２であり、
奇数個のＰＲＢのみが、前記ＬＴＥシステム帯域幅において前記狭帯域直交周波数分割多重化信号を伝送するために用いられる、デバイス。
【請求項１０】
前記伝送ブロックの設定は、前記判定された狭帯域直交周波数分割多重化システムにおける１つ以上のサブキャリアを通して同期信号を伝送することを通して、前記狭帯域直交周波数分割多重化システムの前記判定されたスペクトルリソース上で前記狭帯域直交周波数分割多重化信号を伝送することであり、
第１の直交周波数分割多重化（ＯＦＤＭ）シンボルに対する同期信号によって占有されるサブキャリアは、前記第１のＯＦＤＭシンボルとは異なる第２のＯＦＤＭシンボルに対する同期信号によって占有されるサブキャリアとは異なる、請求項９に記載のデバイス。
【請求項１１】
前記同期信号は、前記狭帯域直交周波数分割多重化システムのセル識別情報、および、前記ＬＴＥシステムにおける前記狭帯域直交周波数分割多重化システムの周波数ドメイン位置情報のうちの少なくとも１つを搬送する、請求項１０に記載のデバイス。
【請求項１２】
前記周波数ドメイン位置情報は、物理ブロードキャストチャネル内で搬送される信号伝達を通して示される、請求項１１に記載のデバイス。
【請求項１３】
前記同期信号は、一次同期信号と二次同期信号とのうちの少なくとも１つを含む、請求項１０に記載のデバイス。
【請求項１４】
前記伝送ブロックの設定は、前記判定された狭帯域直交周波数分割多重化システムにおける１つ以上のサブキャリアを通して基準信号を伝送することを通して、前記狭帯域直交周波数分割多重化システムの前記判定されたスペクトルリソースを通して狭帯域直交周波数分割多重化信号を伝送することである、請求項９に記載のデバイス。
【請求項１５】
前記伝送される基準信号は、対応するＭＢＷのサブキャリアを経由して前記ＬＴＥシステムにおいて伝送されるセル特有の基準信号と同一である基準信号を含み、前記ＭＢＷは、前記狭帯域直交周波数分割多重化システムに含まれるサブキャリアの数である、請求項１４に記載のデバイス。
【請求項１６】
狭帯域直交周波数分割多重化信号を受信するための方法であって、前記方法は、
帯域幅をＬＴＥシステムと共有する、前記狭帯域直交周波数分割多重化システムのスペクトルリソース上で狭帯域直交周波数分割多重化信号を受信することを含み、
前記ＬＴＥシステム帯域幅は、ＮＢＷの利用可能なサブキャリアを含み、前記狭帯域直交周波数分割多重化システムの帯域幅は、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスは、ＩＰＲＢであり、
ＮＢＷｍｏｄ２４＝１２であり、かつ、ＩＰＲＢｍｏｄ５＝２であり、
奇数個のＰＲＢのみが、前記ＬＴＥシステム帯域幅において前記狭帯域直交周波数分割多重化信号を伝送するために用いられる、方法。
【請求項１７】
前記狭帯域直交周波数分割多重化システムの前記判定されたスペクトルリソース上で前記狭帯域直交周波数分割多重化信号を受信することは、前記判定された狭帯域直交周波数分割多重化システムの１つ以上のサブキャリア上で同期信号を受信することを含み、
第１の直交周波数分割多重化（ＯＦＤＭ）シンボルに対する同期信号によって占有されるサブキャリアは、前記第１のＯＦＤＭシンボルとは異なる第２のＯＦＤＭシンボルに対する同期信号によって占有されるサブキャリアとは異なる、請求項１６に記載の方法。
【請求項１８】
前記同期信号は、前記狭帯域直交周波数分割多重化システムのセル識別、および、前記ＬＴＥシステムにおける前記狭帯域直交周波数分割多重化システムの周波数ドメイン位置のうちの少なくとも１つを搬送する、請求項１７に記載の方法。
【請求項１９】
前記周波数ドメイン位置は、物理ブロードキャストチャネル内で搬送される信号伝達によって示される、請求項１８に記載の方法。
【請求項２０】
前記同期信号は、一次同期信号と二次同期信号とのうちの少なくとも１つを含む、請求項１７に記載の方法。
【請求項２１】
前記狭帯域直交周波数分割多重化システムの前記判定されたスペクトルリソース上で前記狭帯域直交周波数分割多重化信号を受信することは、前記判定された狭帯域直交周波数分割多重化システムにおける１つ以上のサブキャリア上で基準信号を受信することを含む、請求項１６に記載の方法。
【請求項２２】
前記受信された基準信号は、前記対応するＭＢＷのサブキャリアを経由して前記ＬＴＥシステムにおいて伝送されるセル特有の基準信号と同一である基準信号を含み、前記ＭＢＷは、前記狭帯域直交周波数分割多重化システムに含まれるサブキャリアの数である、請求項２１に記載の方法。
【請求項２３】
前記伝送される基準信号は、セル識別コードに基づいて判定される、請求項２１に記載の方法。
【請求項２４】
請求項１〜８、１６〜２３のいずれか１項を実施するためのコンピュータ実行可能な命令が記憶されている非一過性のコンピュータ読み取り可能な媒体。
【手続補正２】
【補正対象書類名】明細書
【補正対象項目名】００１１
【補正方法】変更
【補正の内容】
【００１１】
他の関連側面は、添付の図面および発明を実施するための形態を熟読ならびに把握した後に、理解され得る。
本願明細書は、例えば、以下の項目も提供する。
（項目１）
狭帯域直交周波数分割多重化信号を伝送するための方法であって、前記方法は、
リソース選択方略に従って、ＬＴＥシステム帯域幅内において狭帯域直交周波数分割多重化システムのスペクトルリソースを判定することであって、前記ＬＴＥシステムおよび前記狭帯域直交分割多重化システムは、帯域幅を共有する、ことと、
前記狭帯域直交周波数分割多重化システムの前記判定されたスペクトルリソース上で狭帯域直交周波数分割多重化信号を伝送することと
を含む、方法。
（項目２）
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
ＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000197
、ｍｏｄは、合同算術を表す、ことを含む、項目１に記載の方法。
（項目３）
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
ＮＢＷｍｏｄ２４＝１２であるとき、ＩＰＲＢおよびＩＳＣは、以下のうちの１項を満たす：
ＩＰＲＢｍｏｄ５＝０、ＩＰＲＢが、
【化３】
2020123980.tif 000198
未満であるとき、ＩＳＣ＝１０、ＩＰＲＢが、
【化３】
2020123980.tif 000199
を上回るとき、ＩＳＣ＝９、
ＩＰＲＢｍｏｄ５＝２、ＩＰＲＢが、
【化３】
2020123980.tif 000200
未満であるとき、ＩＳＣ＝６、ＩＰＲＢが、
【化３】
2020123980.tif 000201
を上回るとき、ＩＳＣ＝５、
ＩＰＲＢｍｏｄ５＝４、ＩＰＲＢが、
【化３】
2020123980.tif 000202
未満であるとき、ＩＳＣ＝２、ＩＰＲＢが、
【化３】
2020123980.tif 000203
を上回るとき、ＩＳＣ＝１、
ＮＰＲＢは、前記ＬＴＥシステム帯域幅内に含まれるＰＲＢの数であり、かつ
【化２】
2020123980.tif 000204
、ｍｏｄは、合同算術であり、
【化４】
2020123980.tif 000205
は、床関数を表す、ことを含む、項目１に記載の方法。
（項目４）
前記狭帯域直交周波数分割多重化システムにおける前記ＭＢＷのサブキャリアは、ＮＢＷが７２を上回るとき、前記ＬＴＥシステムにおける中心７２のサブキャリアと重複しない、項目２または３に記載の方法。
（項目５）
前記リソース選択方略は、
前記ＬＴＥシステム帯域幅が、ＮＢＷの利用可能なサブキャリアを含み、前記ＬＴＥシステムのセル識別は、
【化１】
2020123980.tif 000206
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化５】
2020123980.tif 000207
かつＮＢＷｍｏｄ２４＝０であるとき、ＩＰＲＢおよびＩＳＣは、以下のうちの１項を満たす：
ＩＰＲＢｍｏｄ５＝１、ＩＰＲＢが、ＮＰＲＢ／２未満であるであるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満である、ＩＳＣ＝４、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000208
、ｍｏｄは、合同算術である、ことを含む、項目１に記載の方法。
（項目６）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000209
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化５】
2020123980.tif 000210
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000211
未満である、ＩＳＣ＝１０、
ＩＰＲＢｍｏｄ５＝２、かつＩＰＲＢが、
【化３】
2020123980.tif 000212
を上回る、ＩＳＣ＝５、
ＩＰＲＢｍｏｄ５＝４、ＩＰＲＢが、
【化３】
2020123980.tif 000213
未満であるであるとき、ＩＳＣ＝２、ＩＰＲＢが、
【化３】
2020123980.tif 000214
を上回るであるとき、ＩＳＣ＝１、
ＮＰＲＢは、前記ＬＴＥシステム帯域幅内に含まれるＰＲＢの数であり、かつ
【化２】
2020123980.tif 000215
、ｍｏｄは、合同算術であり、
【化４】
2020123980.tif 000216
は、床関数を表す、ことを含む、項目１に記載の方法。
（項目７）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000217
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化６】
2020123980.tif 000218
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満であるとき、ＩＳＣ＝０、
ＩＰＲＢｍｏｄ５＝１、かつＩＰＲＢが、ＮＰＲＢ／２未満である、ＩＳＣ＝８、
ＩＰＲＢｍｏｄ５＝３、かつＩＰＲＢが、ＮＰＲＢ／２を上回る、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000219
、ｍｏｄは、合同算術を表す、ことを含む、項目１に記載の方法。
（項目８）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000220
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＮＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化６】
2020123980.tif 000221
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000222
未満である、ＩＳＣ＝９、
ＩＰＲＢｍｏｄ５＝２、ＩＰＲＢが、
【化３】
2020123980.tif 000223
未満であるとき、ＩＳＣ＝６、ＩＰＲＢが、
【化３】
2020123980.tif 000224
を上回るとき、ＩＳＣ＝５、
ＩＰＲＢｍｏｄ５＝４、かつＩＰＲＢが、
【化３】
2020123980.tif 000225
未満である、ＩＳＣ＝２、
ＮＰＲＢは、前記ＬＴＥシステム帯域幅内に含まれるＰＲＢの数であり、かつ
【化２】
2020123980.tif 000226
、ｍｏｄは、合同算術であり、
【化４】
2020123980.tif 000227
は、床関数を表す、ことを含む、項目１に記載の方法。
（項目９）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000228
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスが、ＩＳＣである場合、
【化７】
2020123980.tif 000229
かつＮＢＷｍｏｄ２４＝０であるとき、ＩＰＲＢおよびＩＳＣは、以下のうちの１項を満たす：
ＩＰＲＢｍｏｄ５＝０、かつＩＰＲＢが、０と等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２を上回る、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000230
、ｍｏｄは、合同算術を表す、ことを含む、項目１に記載の方法。
（項目１０）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000231
であり、前記狭帯域直交周波数分割多重化システムの帯域幅が、ＭＢＷのサブキャリアを含み、前記ＬＴＥシステム帯域幅内の、前記狭帯域直交周波数分割多重化システムの前記ＭＢＷのサブキャリアの中心サブキャリアに対応する、物理リソースブロック（ＰＲＢ）のインデックスが、ＩＰＲＢであり、前記ＰＲＢ内の前記中心サブキャリアのインデックスは、ＩＳＣである場合、
【化７】
2020123980.tif 000232
かつＮＢＷｍｏｄ２４＝１２であるとき、ＩＰＲＢおよびＩＳＣは、以下のうちの１項を満たす：
ＩＰＲＢｍｏｄ５＝０、かつＩＰＲＢが、
【化３】
2020123980.tif 000233
を上回る、ＩＳＣ＝９、
ＩＰＲＢｍｏｄ５＝２、かつＩＰＲＢが、
【化３】
2020123980.tif 000234
未満である、ＩＳＣ＝６、
ＩＰＲＢｍｏｄ５＝４、かつＩＰＲＢが、
【化３】
2020123980.tif 000235
を上回る、ＩＳＣ＝１、
ＮＰＲＢは、前記ＬＴＥシステム帯域幅内に含まれるＰＲＢの数であり、かつ
【化２】
2020123980.tif 000236
、ｍｏｄは、合同算術であり、
【化４】
2020123980.tif 000237
は、床関数を表す、ことを含む、項目１に記載の方法。
（項目１１）
前記狭帯域直交周波数分割多重化システムの前記判定されたスペクトルリソース上で前記狭帯域直交周波数分割多重化信号を伝送することは、
前記判定された狭帯域直交周波数分割多重化システムの１つ以上のサブキャリア上で同期信号を伝送することを含み、前記同期信号は、異なるサブキャリアを異なる直交周波数分割多重化（ＯＦＤＭ）シンボル内に占有する、項目１に記載の方法。
（項目１２）
前記同期信号は、以下の情報：
前記狭帯域直交周波数分割多重化システムのセル識別と、
前記ＬＴＥシステムにおける前記狭帯域直交周波数分割多重化システムの周波数ドメイン位置と
のうちの少なくとも１つを搬送する、項目１１に記載の方法。
（項目１３）
前記同期信号は、前記狭帯域直交周波数分割多重化システムの前記中心サブキャリア上で伝送されない、項目１２に記載の方法。
（項目１４）
前記周波数ドメイン位置は、物理ブロードキャストチャネル内で搬送される信号伝達によって示される、項目１２に記載の方法。
（項目１５）
前記同期信号は、一次同期信号と、二次同期信号とを備える、項目１１に記載の方法。
（項目１６）
前記一次同期信号は、奇数番号が付与された無線フレーム内に位置するサブフレーム＃ｋ内で伝送される一方、前記二次同期信号は、偶数番号が付与された無線フレーム内に位置するサブフレーム＃ｋ内で伝送され、前記ｋの値は、１、２、３、６、７、８を備え、
または前記一次同期信号は、偶数番号が付与された無線フレーム内に位置するサブフレーム＃ｍ内で伝送される一方、前記二次同期信号は、奇数番号が付与された無線フレーム内に位置するサブフレーム＃ｍ内で伝送され、前記ｍの値は、１、２、３、４、６、７、８を備え、前記サブフレームインデックスは、ゼロから開始する、項目１５に記載の方法。（項目１７）
前記一次同期信号は、奇数番号が付与された無線フレーム内に位置するサブフレーム＃ｎ内で伝送される一方、前記二次同期信号は、偶数番号が付与された無線フレーム上に位置するサブフレーム＃ｎ内で伝送され、前記ｎの値は、０、４、５、９を備え、または前記一次同期信号は、偶数番号が付与された無線フレーム上に位置するサブフレーム＃ｈ内で伝送される一方、前記二次同期信号は、奇数番号が付与された無線フレーム上に位置するサブフレーム＃ｈ内で伝送され、前記ｈの値は、０、４、５、９を備え、前記サブフレームインデックスは、ゼロから開始する、項目１５に記載の方法。
（項目１８）
前記同期信号を伝送するために使用されるサブフレーム内のＯＦＤＭシンボルの数は、４、６、８、９、１０、または１１である、項目１６または１７に記載の方法。
（項目１９）
前記４つのＯＦＤＭシンボルは、前記サブフレームの各スロット内の最後の２つのＯＦＤＭシンボルを含み、または前記６つのＯＦＤＭシンボルは、前記サブフレームの最後の６つの連続ＯＦＤＭシンボルを含み、または前記６つのＯＦＤＭシンボルは、前記サブフレームの各スロット内の最後の２つのＯＦＤＭシンボル、前記サブフレームの第２のスロット内の第３および第４のＯＦＤＭシンボルを含み、または前記６つのＯＦＤＭシンボルは、前記サブフレームの各スロット内の最後の２つのＯＦＤＭシンボル、前記サブフレームの各スロット内の第３のＯＦＤＭシンボルを含み、または前記８つのＯＦＤＭシンボルは、前記サブフレームの最後の８つの連続ＯＦＤＭシンボルを含み、または前記９つのＯＦＤＭシンボルは、前記サブフレームの最後の９つの連続ＯＦＤＭシンボルを含み、または前記１０のＯＦＤＭシンボルは、前記サブフレームの最後の１０の連続ＯＦＤＭシンボルを含み、または前記１１のＯＦＤＭシンボルは、前記サブフレームの最後の１１の連続ＯＦＤＭシンボルを含み、項目１８に記載の方法。
（項目２０）
前記狭帯域直交周波数分割多重化システムの前記判定されたスペクトルリソース上で前記狭帯域直交周波数分割多重化信号を伝送することは、前記判定された狭帯域直交周波数分割多重化システムにおける１つ以上のサブキャリア上で基準信号を伝送することを含む、項目１に記載の方法。
（項目２１）
前記判定された狭帯域直交周波数分割多重化システムにおける１つ以上のサブキャリア上で前記基準信号を伝送することは、
前記判定された狭帯域直交周波数分割多重化システムの前記ＭＢＷのサブキャリアから選択される、｛０，３，６，９，．．．，
【化８】
2020123980.tif 000238
｝のサブキャリアセット内の１つ以上のサブキャリア上で前記基準信号を伝送することを含み、ＭＢＷは、３を上回る整数であり、
【化１】
2020123980.tif 000239
は、前記ＬＴＥシステムのセル識別であり、ｍｏｄは、合同算術であり、
【化４】
2020123980.tif 000240
は、床関数を表す、項目２０に記載の方法。
（項目２２）
前記伝送される基準信号は、前記ＬＴＥシステムにおける前記対応するＭＢＷのサブキャリアを経由して伝送されるセル特有の基準信号と同一の基準信号、および／または前記ＬＴＥシステムにおける前記対応するＭＢＷのサブキャリアを経由して伝送されるセル特有の基準信号のサブセットを備え、前記ＭＢＷは、前記狭帯域直交周波数分割多重化システムに含まれるサブキャリアの数である、項目２０に記載の方法。
（項目２３）
前記伝送される基準信号が、前記ＬＴＥシステムにおける前記対応するＭＢＷのサブキャリアを経由して伝送されるセル特有の基準信号のサブセットであるとき、前記伝送される基準信号は、
前記ＬＴＥシステムにおけるアンテナポートの一部上で前記対応するＭＢＷのサブキャリアを経由して伝送される、セル特有の基準信号、および／または、
前記ＬＴＥシステムにおけるアンテナポートの一部上の前記対応するＭＢＷのサブキャリアのサブセットを経由して伝送される、セル特有の基準信号
を備える、項目２２に記載の方法。
（項目２４）
前記伝送される基準信号は、構成されたセル識別に基づいて判定される、項目２０に記載の方法。
（項目２５）
前記構成されたセル識別と前記ＬＴＥシステムのセル識別との間の差は、３の倍数である、項目２４に記載の方法。
（項目２６）
前記基準信号は、前記狭帯域直交周波数分割多重化システムにおける前記中心サブキャリア上で伝送されない、項目２２〜２５のいずれか１項に記載の方法。
（項目２７）
前記伝送は、伝送および／または受信を備える、項目１〜３、５〜１７、および１９〜２５のいずれか１項に記載の方法。
（項目２８）
狭帯域直交周波数分割多重化信号を伝送するためのデバイスであって、前記デバイスは、
リソース選択方略に従って、ＬＴＥシステム帯域幅内において狭帯域直交周波数分割多重化システムのスペクトルリソースを判定するように構成されている、スペクトルリソース判定ブロックであって、前記ＬＴＥシステムおよび前記狭帯域直交分割多重化システムは、帯域幅を共有する、スペクトルリソース判定ブロックと、
前記狭帯域直交周波数分割多重化システムの前記判定されたスペクトルリソース上で狭帯域直交周波数分割多重化信号を伝送するように構成されている、伝送ブロックと
を備える、デバイス。
（項目２９）
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
ＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満であるとき、ＩＳＣ＝０、
ＩＰＲＢｍｏｄ５＝１、ＩＰＲＢが、ＮＰＲＢ／２未満であるであるとき、ＩＳＣ＝８、ＩＰＲＢが、ＮＰＲＢ／２を上回るとき、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000241
、ｍｏｄは、合同算術を表す、ことを含む、項目２８に記載のデバイス。
（項目３０）
前記リソース選択方略は、
前記ＬＴＥシステム帯域幅が、ＮＢＷの利用可能なサブキャリアを含み、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合
ＮＢＷｍｏｄ２４＝１２であるとき、ＩＰＲＢおよびＩＳＣは、以下の条件のうちの１項を満たす：
ＩＰＲＢｍｏｄ５＝０、ＩＰＲＢが、
【化３】
2020123980.tif 000242
未満であるとき、ＩＳＣ＝１０、ＩＰＲＢが、
【化３】
2020123980.tif 000243
を上回るとき、ＩＳＣ＝９、
ＩＰＲＢｍｏｄ５＝２、ＩＰＲＢが、
【化３】
2020123980.tif 000244
未満であるとき、ＩＳＣ＝６、ＩＰＲＢが、
【化３】
2020123980.tif 000245
を上回るとき、ＩＳＣ＝５、
ＩＰＲＢｍｏｄ５＝４、ＩＰＲＢが、
【化３】
2020123980.tif 000246
未満であるとき、ＩＳＣ＝２、ＩＰＲＢが、
【化３】
2020123980.tif 000247
を上回るとき、ＩＳＣ＝１、
ＮＰＲＢは、前記ＬＴＥシステム帯域幅内に含まれるＰＲＢの数であり、かつ
【化２】
2020123980.tif 000248
、ｍｏｄは、合同算術であり、
【化４】
2020123980.tif 000249
は、床関数を表す、ことを含む、項目２８に記載のデバイス。
（項目３１）
前記狭帯域直交周波数分割多重化システムにおける前記ＭＢＷのサブキャリアは、ＮＢＷが７２を上回るとき、前記ＬＴＥシステムにおける中心の７２のサブキャリアと重複しない、項目２９または３０に記載のデバイス。
（項目３２）
前記リソース選択方略は、
前記ＬＴＥシステム帯域幅が、ＮＢＷの利用可能なサブキャリアを含み、前記ＬＴＥシステムのセル識別コードが、
【化１】
2020123980.tif 000250
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化５】
2020123980.tif 000251
かつＮＢＷｍｏｄ２４＝０であるとき、ＩＰＲＢおよびＩＳＣは、以下の条件のうちの１項を満たす：
ＩＰＲＢｍｏｄ５＝１、ＩＰＲＢが、ＮＰＲＢ／２未満であるとき、ＩＳＣ＝８、ＩＰＲＢが、ＮＰＲＢ／２を上回るとき、ＩＳＣ＝７、
ＩＰＲＢｍｏｄ５＝３、かつＩＰＲＢが、ＮＰＲＢ／２未満である、ＩＳＣ＝４、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000252
、ｍｏｄは、合同算術を表す、ことを含む、項目２８に記載のデバイス。
（項目３３）
前記リソース選択方略は、
前記ＬＴＥシステム帯域幅が、ＮＢＷの利用可能なサブキャリアを含み、前記ＬＴＥシステムのセル識別コードが、
【化１】
2020123980.tif 000253
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＮＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化５】
2020123980.tif 000254
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000255
未満である、ＩＳＣ＝１０、
ＩＰＲＢｍｏｄ５＝２、かつＩＰＲＢが、
【化３】
2020123980.tif 000256
を上回る、ＩＳＣ＝５、
ＩＰＲＢｍｏｄ５＝４、ＩＰＲＢが、
【化３】
2020123980.tif 000257
未満であるとき、ＩＳＣ＝２、ＩＰＲＢが、
【化３】
2020123980.tif 000258
を上回るとき、ＩＳＣ＝１、
ＮＰＲＢは、前記ＬＴＥシステム帯域幅内に含まれるＰＲＢの数であり、かつ
【化２】
2020123980.tif 000259
、ｍｏｄは、合同算術であり、
【化４】
2020123980.tif 000260
は、床関数を表す、ことを含む、項目２８に記載のデバイス。
（項目３４）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000261
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化６】
2020123980.tif 000262
かつＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２未満である、ＩＳＣ＝８、
ＩＰＲＢｍｏｄ５＝３、かつＩＰＲＢが、ＮＰＲＢ／２を上回る、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ
【化２】
2020123980.tif 000263
、ｍｏｄは、合同算術を表す、ことを含む、項目２８に記載のデバイス。
（項目３５）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000264
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化６】
2020123980.tif 000265
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000266
未満である、ＩＳＣ＝９、
ＩＰＲＢｍｏｄ５＝２、ＩＰＲＢが、
【化３】
2020123980.tif 000267
未満であるとき、ＩＳＣ＝６、ＩＰＲＢが、
【化３】
2020123980.tif 000268
を上回るとき、ＩＳＣ＝５、
ＩＰＲＢｍｏｄ５＝４、かつＩＰＲＢが、
【化３】
2020123980.tif 000269
未満である、ＩＳＣ＝２、
ＮＰＲＢは、前記ＬＴＥシステム帯域幅内に含まれるＰＲＢの数であり、かつ
【化２】
2020123980.tif 000270
、ｍｏｄは、合同算術であり、
【化４】
2020123980.tif 000271
は、床関数を表す、ことを含む、項目２８に記載のデバイス。
（項目３６）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000272
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化７】
2020123980.tif 000273
、ＮＢＷｍｏｄ２４＝０であるとき、ＩＰＲＢおよびＩＳＣは、以下の条件のうちの１項を満たす：
ＩＰＲＢｍｏｄ５＝０、かつＩＰＲＢが、ゼロと等しくなく、かつＩＰＲＢが、ＮＰＲＢ／２未満である、ＩＳＣ＝０、
ＩＰＲＢｍｏｄ５＝１、かつＩＰＲＢが、ＮＰＲＢ／２を上回る、ＩＳＣ＝７、
ＩＰＲＢｍｏｄ５＝３、ＩＰＲＢが、ＮＰＲＢ／２未満であるとき、ＩＳＣ＝４、ＩＰＲＢが、ＮＰＲＢ／２を上回るとき、ＩＳＣ＝３、
ＩＰＲＢｍｏｄ５＝４、かつＩＰＲＢが、ＮＰＲＢ／２を上回る、ＩＳＣ＝１１、
ＮＰＲＢは、前記ＬＴＥシステム帯域幅内に含まれるＰＲＢの数であり、かつ 
【化２】
2020123980.tif 000274
、ｍｏｄは、合同算術を表す、ことを含む、項目２８に記載のデバイス。
（項目３７）
前記リソース選択方略は、
前記ＬＴＥシステム帯域幅が、ＮＢＷの利用可能なサブキャリアを含み、前記ＬＴＥシステムのセル識別が、
【化１】
2020123980.tif 000275
であり、前記狭帯域直交周波数分割多重化システムの帯域幅が、ＭＢＷのサブキャリアを含み、前記ＬＴＥシステム帯域幅内に位置する、前記狭帯域直交周波数分割多重化システムにおける前記ＭＢＷのサブキャリアの中心サブキャリアのＰＲＢインデックスが、ＩＰＲＢである一方、前記ＰＲＢ内の前記中心サブキャリアのキャリアインデックスが、ＩＳＣである場合、
【化７】
2020123980.tif 000276
かつＮＢＷｍｏｄ２４＝１２であるとき、ＩＰＲＢおよびＩＳＣは、以下の条件のうちの１項を満たす：
ＩＰＲＢｍｏｄ５＝０、かつＩＰＲＢが、
【化３】
2020123980.tif 000277
を上回る、ＩＳＣ＝９、
ＩＰＲＢｍｏｄ５＝２、かつＩＰＲＢが、
【化３】
2020123980.tif 000278
未満である、ＩＳＣ＝６、
ＩＰＲＢｍｏｄ５＝４、かつＩＰＲＢが、
【化３】
2020123980.tif 000279
を上回る、ＩＳＣ＝１、
ＮＰＲＢは、前記ＬＴＥシステム帯域幅内に含まれるＰＲＢの数であり、かつ
【化２】
2020123980.tif 000280
、ｍｏｄは、合同算術であり、
【化４】
2020123980.tif 000281
は、床関数を表す、ことを含む、項目２８に記載のデバイス。
（項目３８）
前記伝送ブロックの設定は、以下の様式：前記判定された狭帯域直交周波数分割多重化システムにおける１つ以上のサブキャリアを通して同期信号を伝送することを通して、前記狭帯域直交周波数分割多重化システムの前記判定されたスペクトルリソース上で前記狭帯域直交周波数分割多重化信号を伝送することであり、異なる直交周波数分割多重化（ＯＦＤＭ）シンボル内において、前記同期信号は、異なるサブキャリアを占有する、項目２８に記載のデバイス。
（項目３９）
前記同期信号は、以下の情報：
前記狭帯域直交周波数分割多重化システムのセル識別情報と、
前記ＬＴＥシステムにおける前記狭帯域直交周波数分割多重化システムの周波数ドメイン位置情報と
のうちの少なくとも１つを搬送する、項目３８に記載のデバイス。
（項目４０）
前記同期信号は、前記判定された狭帯域直交周波数分割多重化システムにおける前記中心サブキャリアを通して伝送されない、項目３９に記載のデバイス。
（項目４１）
前記周波数ドメイン位置情報は、物理ブロードキャストチャネル内で搬送される信号伝達を通して示される、項目３９に記載のデバイス。
（項目４２）
前記同期信号は、一次同期信号と、二次同期信号とを備える、項目３８に記載のデバイス。
（項目４３）
前記一次同期信号は、奇数番号が付与された無線フレーム上に位置するサブフレーム＃ｋ内で伝送される一方、前記二次同期信号は、偶数番号が付与された無線フレーム上に位置するサブフレーム＃ｋ内で伝送され、前記ｋの値は、１、２、３、６、７、８を備え、または前記一次同期信号は、偶数番号が付与された無線フレーム上に位置するサブフレーム＃ｍ内で伝送される一方、前記二次同期信号は、奇数番号が付与された無線フレーム上に位置するサブフレーム＃ｍ内で伝送され、前記ｍの値は、１、２、３、４、６、７、８を備え、前記サブフレームインデックスは、ゼロから開始する、項目４２に記載のデバイス。
（項目４４）
前記一次同期信号は、奇数番号が付与された無線フレーム上に位置するサブフレーム＃ｎ内で伝送される一方、前記二次同期信号は、偶数番号が付与された無線フレーム上に位置するサブフレーム＃ｎ内で伝送され、前記ｎの値は、０、４、５、９を備え、または前記一次同期信号は、偶数番号が付与された無線フレーム上に位置するサブフレーム＃ｈ内で伝送される一方、前記二次同期信号は、奇数番号が付与された無線フレーム上に位置するサブフレーム＃ｈ内で伝送され、前記ｈの値は、０、４、５、９を備え、前記サブフレームインデックスは、ゼロから開始する、項目４２に記載のデバイス。
（項目４５）
前記同期信号を伝送するために使用されるサブフレーム内のＯＦＤＭシンボルの数は、４、６、８、９、１０、または１１である、項目４３または４４に記載のデバイス。
（項目４６）
前記４つのＯＦＤＭシンボルは、前記サブフレームの各スロット内の最後の２つのＯＦＤＭシンボルを含み、または前記６つのＯＦＤＭシンボルは、前記サブフレームの最後の６つの連続ＯＦＤＭシンボルを含み、または前記６つのＯＦＤＭシンボルは、前記サブフレームの各スロット内の最後の２つのＯＦＤＭシンボル、前記サブフレームの第２のスロット内の第３および第４のＯＦＤＭシンボルを含み、または前記６つのＯＦＤＭシンボルは、前記サブフレームの各スロット内の最後の２つのＯＦＤＭシンボル、前記サブフレームの各スロット内の第３のＯＦＤＭシンボルを含み、または前記８つのＯＦＤＭシンボルは、前記サブフレームの最後の８つの連続ＯＦＤＭシンボルを含み、または前記９つのＯＦＤＭシンボルは、前記サブフレームの最後の９つの連続ＯＦＤＭシンボルを含み、または前記１０のＯＦＤＭシンボルは、前記サブフレームの最後の１０の連続ＯＦＤＭシンボルを含み、または前記１１のＯＦＤＭシンボルは、前記サブフレームの最後の１１の連続ＯＦＤＭシンボルを含む、項目４５に記載のデバイス。
（項目４７）
前記伝送ブロックの設定は、以下の様式：前記判定された狭帯域直交周波数分割多重化システムにおける１つ以上のサブキャリアを通して基準信号を伝送することを通して、前記狭帯域直交周波数分割多重化システムの前記判定されたスペクトルリソースを通して狭帯域直交周波数分割多重化信号を伝送することである、項目２８に記載のデバイス。
（項目４８）
前記伝送ブロックの設定は、以下の様式：前記判定された狭帯域直交周波数分割多重化システムにおける前記ＭＢＷのサブキャリアのために設定される、｛０，３，６，９，．．．，
【化８】
2020123980.tif 000282
｝のサブキャリアセット内の１つ以上のサブキャリアを通して前記基準信号を伝送することを通して、前記判定された狭帯域直交周波数分割多重化システムにおける１つ以上のサブキャリアを通して前記基準信号を伝送することであり、ＭＢＷは、３を上回る整数であり、
【化１】
2020123980.tif 000283
は、前記ＬＴＥシステムのセル識別であり、ｍｏｄは、合同算術であり、
【化４】
2020123980.tif 000284
は、床関数を表す、項目４７に記載のデバイス。
（項目４９）
前記伝送される基準信号は、前記ＬＴＥシステムにおけるＭＢＷのサブキャリア伝送と対応するセル特有の基準信号と同一の基準信号、および／または前記ＬＴＥシステムにおけるＭＢＷのサブキャリア伝送と対応するセル特有の基準信号のサブセットを備え、前記ＭＢＷは、前記狭帯域直交周波数分割多重化システムに含まれるサブキャリアの数である、項目４７に記載のデバイス。
（項目５０）
前記伝送される基準信号が、前記ＬＴＥシステムにおけるＭＢＷのサブキャリア伝送と対応するセル特有の基準信号のサブセットであるとき、前記伝送される基準信号は、
前記ＭＢＷのサブキャリアと対応する前記ＬＴＥシステムのアンテナポートの一部によって伝送される、セル特有の基準信号、および／または、
前記ＭＢＷのサブキャリアのサブセットと対応する前記ＬＴＥシステムのアンテナポートの一部によって伝送される、セル特有の基準信号
を備える、項目４９に記載のデバイス。
（項目５１）
前記伝送される基準信号は、前記配分されたセル識別に基づいて判定される、項目４７に記載のデバイス。
（項目５２）
前記配分されたセル識別と前記ＬＴＥシステムにおけるものとの間の差は、３の倍数である、項目５１に記載のデバイス。
（項目５３）
前記基準信号は、前記狭帯域直交周波数分割多重化システムにおける前記中心サブキャリアを通して伝送されない、項目４９−５２に記載のデバイス。
（項目５４）
前記伝送は、放射および／または受信を備える、項目２８−３０、３２−４４、および４６−５２に記載のデバイス。
【外国語明細書】
2020123980000001.pdf